(57)【要約】本発明は、少酸素、すなわち低酸素条件に適応する能力を与える遺伝子についてのヌクレオチド配列及び対応するアミノ酸配列を提供する。これらの配列はＳＨ２Ａ及びＳＨ２Ａ様配列という。これらの配列を含む遺伝子構築物及びキメラ遺伝子も提供される。ＳＨ２Ａ及びＳＨ２Ａ様タンパク質のレベル及び／又は活性を調整するために、ヌクレオチド及びアミノ酸配列は、細菌、酵母、真菌、動物及び植物種を形質転換するために用いられうる。ＳＨ２Ａ及びＳＨ２Ａ様遺伝子を発現するトランスジェニック植物、植物細胞及び宿主細胞も提供される。低酸素条件下での培養細胞の成長又は生存を調整する方法及び生物の細胞、組織又は器官における成長応答を変化させるための方法も提供される。加えて、低酸素条件における成長に適応した植物を産生する方法、植物における湛水害耐性を改良する方法、植物細胞中でのジベレリン生合成を誘導するための方法及び植物細胞中での嫌気応答を調節する方法が、本発明によって提供される。本発明の組成物及び手法は、園芸、農業、医療、発酵、及び細胞培養産業における無数の用途がある。【特許請求の範囲】
【請求項１】
ＳＨ２Ａ又はＳＨ２Ａ様遺伝子についてのヌクレオチド配列を含む、トランスジェニック植物、その本質的に由来する変種、植物の部分又は植物細胞、ここで、該ヌクレオチド配列は、該トランスジェニック植物、その本質的に由来する変種、植物の部分又は植物細胞のゲノムに対して異種である。
【請求項２】
ＳＨ２Ａ又はＳＨ２Ａ様遺伝子についてのヌクレオチド配列を含む、トランスジェニック植物、その本質的に由来する変種、植物の部分又は植物細胞、ここで、該ヌクレオチド配列は、組換えＤＮＡ手段によって、トランスジェニック植物、植物の部分又は植物細胞中に導入されている。
【請求項３】
ＳＨ２Ａ又はＳＨ２Ａ様タンパク質を含む、トランスジェニック植物、その本質的に由来する変種、植物の部分又は植物細胞、ここで、該ＳＨ２Ａ又はＳＨ２Ａ様タンパク質は、該トランスジェニック植物、その本質的に由来する変種、植物の部分又は植物細胞に対して異種である。
【請求項４】
ＳＨ２Ａ又はＳＨ２Ａ様遺伝子についてのヌクレオチド配列で形質転換された植物細胞又はプロトプラスト、ここで、該ヌクレオチド配列は植物細胞又は植物プロトプラストのゲノムに対して異種である。
【請求項５】
植物細胞が、安定に又は一過的に形質転換される、請求項４に記載の植物細胞又はプロトプラスト。
【請求項６】
ＳＨ２Ａ又はＳＨ２Ａ様遺伝子についてのヌクレオチド配列を含む宿主細胞、ここで、該ヌクレオチド配列は、該宿主細胞のゲノムに対して異種であるか、又は該ヌクレオチド配列が、組換えＤＮＡ手段によって、該宿主細胞中に導入されている。
【請求項７】
該宿主細胞が、細菌細胞、酵母細胞、真菌細胞、昆虫細胞、植物細胞、動物細胞又はヒト細胞である、請求項６に記載の宿主細胞。
【請求項８】
ＳＨ２Ａ又はＳＨ２Ａ様遺伝子についてのヌクレオチド配列が、該ヌクレオチド配列の発現を指示する調節領域に関してセンス又はアンチセンス方向であるか、又は、該ヌクレオチド配列が、調節領域によって駆動される遺伝子サイレンシング構築物中に含まれる、請求項６に記載の宿主細胞。
【請求項９】
低酸素条件下で培養細胞の成長又は生存を調整するための方法であって、該培養細胞におけるＳＨ２Ａ又はＳＨ２Ａ様タンパク質のレベル及び／又は活性を調整することを含む、方法。
【請求項１０】
培養細胞における成長応答を変化させる方法であって、該培養細胞におけるＳＨ２Ａ又はＳＨ２Ａ様タンパク質のレベル及び／又は活性を調整することを含む、方法。
【請求項１１】
培養細胞が、細菌細胞、酵母細胞又は真菌細胞である、請求項９又は１０に記載の方法。
【請求項１２】
培養細胞が、動物細胞、ヒト細胞又は昆虫細胞である、請求項９又は１０に記載の方法。
【請求項１３】
培養細胞が、植物細胞である、請求項９又は１０に記載の方法。
【請求項１４】
生物の細胞、組織又は器官における成長応答を変化させる方法であって、該生物の該細胞、組織又は器官において、ＳＨ２Ａ又はＳＨ２Ａ様タンパク質のレベル及び／又は活性を調整することを含む、方法。
【請求項１５】
植物の細胞、組織又は器官における成長応答を変化させる方法であって、該植物の該細胞、組織又は器官において、ＳＨ２Ａ又はＳＨ２Ａ様タンパク質のレベル及び／又は活性を調整することを含む、方法。
【請求項１６】
ＳＨ２Ａ又はＳＨ２Ａ様タンパク質のレベル及び／又は活性が、該ＳＨ２Ａ又はＳＨ２Ａ様タンパク質についてのヌクレオチド配列の転写を増加させることによって調整される、請求項１５に記載の方法。
【請求項１７】
転写の増加が、植物の細胞、組織又は器官をエテフォン又はエチレンに暴露することによって誘導される、請求項１６に記載の方法。
【請求項１８】
低酸素条件での成長に適応した植物を産生する方法であって、少なくとも１つの植物細胞、花粉、プロトプラスト、外植片、植物の部分又は植物の器官を、ＳＨ２Ａ又は同様の遺伝子をコードする配列で形質転換し、それらから植物を再生することを含む、方法。
【請求項１９】
低酸素の条件における植物の生存を改良する方法であって、少なくとも１つの植物細胞、花粉、プロトプラスト、外植片、植物の部分又は植物の器官を、ＳＨ２Ａ又はＳＨ２Ａ様遺伝子をコードする配列で形質転換し、それらから植物を再生することを含む、方法。
【請求項２０】
植物における湛水害耐性を改良する方法であって、少なくとも１つの植物細胞、花粉、プロトプラスト、外植片、植物の部分又は植物の器官を、ＳＨ２Ａ又はＳＨ２Ａ様遺伝子をコードする配列で形質転換し、それらから植物を再生することを含む、方法。
【請求項２１】
植物細胞、プロトプラスト、外植片又は植物器官におけるジベレリン生合成を誘導する方法であって、その中のＳＨ２Ａ又はＳＨ２Ａ様タンパク質のレベル及び／又は活性を調整することを含む、方法。
【請求項２２】
植物におけるジベレリン生合成を誘導する方法であって、該植物の細胞又は細胞群中のＳＨ２Ａ又はＳＨ２Ａ様タンパク質のレベル及び／又は活性を調整することを含む、方法。
【請求項２３】
植物細胞、プロトプラスト、外植片又は植物器官における嫌気応答タンパク質を調節する方法であって、その中のＳＨ２Ａ又はＳＨ２Ａ様タンパク質のレベル及び／又は活性を調整することを含む、方法。
【請求項２４】
嫌気応答タンパク質が、ピルビン酸デカルボキシラーゼ２である、請求項２３に記載の方法。
【請求項２５】
ＳＨ２Ａ又はＳＨ２Ａ様遺伝子についてのヌクレオチド配列の発現を指示するプロモーター配列に作動可能に連結された該ヌクレオチド配列を含む、遺伝子構築物。
【請求項２６】
該ＳＨ２Ａ又はＳＨ２Ａ様遺伝子が、ｃＤＮＡであるか又はゲノム配列である、請求項２５に記載の遺伝子構築物。
【請求項２７】
該ＳＨ２Ａ又はＳＨ２Ａ様遺伝子が、合成配列である、請求項２５に記載の遺伝子構築物。
【請求項２８】
ＳＨ２Ａ又はＳＨ２Ａ様遺伝子についてのヌクレオチド配列が、プロモーター配列に関してセンス又はアンチセンス方向であるか、又は遺伝子サイレンシング構築物中に含まれる、請求項２５〜２７のいずれか１項記載の遺伝子構築物。
【請求項２９】
ＳＨ２Ａ又はＳＨ２Ａ様タンパク質をコードする遺伝子を含むキメラ遺伝子構築物であって、該遺伝子が、植物中で機能するプロモーターの制御下にある、キメラ遺伝子構築物。
【請求項３０】
異種コーディング配列に作動可能に連結されたＳＨ２Ａ又はＳＨ２Ａ様遺伝子プロモーターを含む、キメラ遺伝子構築物。
【請求項３１】
配列番号５、７、９、１１、１３、１５又は１７に記載された核酸配列からなる群より選択された、ＳＨ２Ａ様遺伝子をコードする単離された核酸。
【請求項３２】
配列番号６、８、１０、１２、１４、１６又は１８に記載されたアミノ酸配列からなる群より選択されたアミノ酸配列を有する、単離されたＳＨ２Ａ様タンパク質。
【請求項３３】
請求項１〜３のいずれか１項に記載されたトランスジェニック植物又はその本質的に由来する変種の花粉。
【請求項３４】
請求項１〜３のいずれか１項に記載されたトランスジェニック植物又はその本質的に由来する変種の種子。
【請求項３５】
請求項１〜３のいずれか１項に記載されたトランスジェニック植物又はその本質的に由来する変種の切断物。
【請求項３６】
請求項１〜３のいずれか１項に記載されたトランスジェニック植物又はその本質的に由来する変種の花。
【発明の詳細な説明】
【０００１】
本願は、２０００年２月１８日に米国仮出願第０６／１８３，５７２号として最初に出願された。
【０００２】
発明の背景
水稲（Ｄｅｅｐｗａｔｅｒ ｒｉｃｅ）（オリザ・サティバ（Ｏｒｙｚａ ｓａｔｉｖａ）Ｌ．）植物体は、長期にわたる部分的な浸水に耐えるよう特に適応している。少酸素（低酸素）条件への適応は、発酵経路を触媒するタンパク質をコードするものを含む、嫌気遺伝子の誘導を含む。いくつかの半水生植物において見出されたもう一つの適応は、上昇する水面よりも上にいくつかの葉を維持することにより、植物体の生存を可能にする、最も若い幼節間の急速な成長である。加速した節間の成長は、増加した細胞分裂活性及び増強された細胞伸長の結果であり、これらは文献においてよく特徴決定されている（Ｋｅｎｄｅ， １９８７； Ｋｅｎｄｅ ｅｔ ａｌ．， １９９３； Ｌｏｒｂｉｅｃｋｅ ａｎｄ Ｓａｕｔｅｒ， １９９８； Ｋｅｎｄｅ ｅｔ ａｌ．， １９９８）。成長応答は、環境シグナルにより誘導され、いくつかの植物ホルモンの相互作用により媒介される。
【０００３】
植物体の浸水は、周囲の水による物理的な包囲及び増強された生合成による植物組織内エチレン濃度の増加、をもたらす（Ｓｔｕｅｎｚｉ ａｎｄ Ｋｅｎｄｅ， １９８９； Ｒａｓｋｉｎ ａｎｄ Ｋｅｎｄｅ， １９８５）。エチレンは、イネ節間における、成長促進ホルモンジベレリン酸（ＧＡ）と、ＧＡ作用の強力なアンタゴニストであるシス−アブシジン酸（ＡＢＡ）との比率を改変させる。ＡＢＡレベルの減少及びＧＡレベルの増加は、存在するＧＡに対する組織の増加した応答性をもたらす。
【０００４】
ＧＡは、節間における最終的な成長促進ホルモンである（Ｒａｓｋｉｎ ａｎｄ Ｋｅｎｄｅ， １９８４）。エチレン適用及び浸水は、いずれも、節間における内因性ＡＢＡレベルを３時間以内に７５％減少させる（Ｈｏｆｆｍａｎｎ−Ｂｅｎｎｉｎｇ ａｎｄ Ｋｅｎｄｅ， １９９２； Ａｚｕｍａ ｅｔ ａｌ．， １９９５）。同時に、内因性ＧＡ１レベルが４倍に増加する。浸水による成長誘導の遅滞期は、３〜４時間である（Ｈｏｆｆｍａｎｎ−Ｂｅｎｎｉｎｇ ａｎｄ Ｋｅｎｄｅ， １９９２）。
【０００５】
イネにおいては単一の遺伝子座が浸水耐性を担当していることが、遺伝学的に示されている（Ｓｅｔｔｅｒ ｅｔ ａｌ．， １９９７）。この遺伝子のクローニング及び同定は、従来成し遂げられていない。本発明は、異なる生物に由来するＳＨ２遺伝子及び対応するＳＨ２タンパク質を提供する。問題のＳＨ２遺伝子は、嫌気生活により誘導されるＳＨ２タンパク質の誘導を担当しており、従って、低酸素条件への適応における最も基本的なメカニズムのうちの一つを担当している。細胞内のＳＨ２の発現及び／又は活性の調整は、少酸素条件における細胞の増殖を可能にする。
【０００６】
発明の概要
本発明は、ＳＨ２Ａ遺伝子又はＳＨ２Ａ様遺伝子のヌクレオチド配列〔該ヌクレオチド配列は、該トランスジェニック植物体又は植物細胞のゲノムと異種である〕を含むトランスジェニック植物体、植物部分、又は植物細胞を提供する。
【０００７】
ＳＨ２Ａ遺伝子又はＳＨ２Ａ様遺伝子のヌクレオチド配列〔該ヌクレオチド配列は、組換えＤＮＡ手段により植物体、植物部分、又は植物細胞へ導入されている〕を含むトランスジェニック植物体又は植物細胞も、提供される。そのような植物体は、内因性ＳＨ２Ａ様遺伝子を有していてもよく、組換えＤＮＡ方法論を使用して、付加的な内因性ＳＨ２Ａ様遺伝子が植物体、植物部分、又は植物細胞へ追加されてもよい。
【０００８】
ＳＨ２Ａタンパク質又はＳＨ２Ａ様タンパク質〔該ＳＨ２Ａタンパク質又はＳＨ２Ａ様タンパク質は、植物体、植物部分、又は植物細胞と異種である〕を含むトランスジェニック植物体、植物部分、又は植物細胞も、提供される。
【０００９】
ＳＨ２Ａ遺伝子又はＳＨ２Ａ様遺伝子のヌクレオチド配列〔該ヌクレオチド配列は、該宿主細胞のゲノムと異種であるか、又は組換えＤＮＡ手段により該宿主細胞へと導入されている〕を含む宿主細胞。宿主細胞の例は、細菌、酵母、真菌、昆虫、植物、又は動物の細胞を含む。宿主細胞内で、ＳＨ２Ａ遺伝子又はＳＨ２Ａ様遺伝子のヌクレオチド配列は、該ヌクレオチド配列の発現を指図する調節領域に対しセンス方向又はアンチセンス方向で存在しうる。
【００１０】
該培養細胞におけるＳＨ２Ａタンパク質又はＳＨ２Ａ様タンパク質のレベル又は活性を調整することを含む、低酸素条件下での培養細胞の増殖又は生存を調整するための方法も、提供される。さらに本発明は、該培養細胞におけるＳＨ２Ａタンパク質又はＳＨ２Ａ様タンパク質のレベル又は活性を調整することにより、培養細胞の成長応答を改変するための方法を、提供する。培養細胞は、細菌、酵母、真菌、植物、哺乳動物、又は昆虫の細胞を含みうる。
【００１１】
さらに本発明は、該生物の該細胞、組織、又は器官におけるＳＨ２Ａタンパク質又はＳＨ２Ａ様タンパク質のレベル又は活性を調整することを含む、生物の細胞、組織、又は器官の成長応答を改変するための方法を、提供する。該植物の該細胞、組織、又は器官におけるＳＨ２Ａタンパク質又はＳＨ２Ａ様タンパク質のレベル又は活性を調整することを含む、植物の細胞、組織、又は器官の成長応答を改変するための方法も、提供される。例えば、ＳＨ２Ａタンパク質又はＳＨ２Ａ様タンパク質のレベルは、該ＳＨ２Ａタンパク質又はＳＨ２Ａ様タンパク質のヌクレオチド配列の転写を増加させることにより調整されうる。植物において、転写の増加は、植物の細胞、組織、又は器官をエテフォン又はエチレンに曝すことにより誘導される。
【００１２】
植物細胞、花粉、プロトプラスト、外植片、植物部分、又は植物器官のうちの少なくとも一つを、ＳＨ２Ａ遺伝子又は類似遺伝子のコーディング配列で形質転換すること、及びそれらから植物体を再生させることを含む、低酸素条件における成長に適応した植物体を作製するための方法も、提供される。植物細胞、花粉、プロトプラスト、外植片、植物部分、又は植物器官のうちの少なくとも一つを、ＳＨ２Ａ遺伝子又は類似遺伝子のコーディング配列で形質転換すること、及びそれらから植物体を再生させることを含む、少酸素条件における植物体の生存を改良するための方法も、提供される。
【００１３】
植物細胞、花粉、プロトプラスト、外植片、植物部分、又は植物器官のうちの少なくとも一つを、ＳＨ２Ａ遺伝子又は類似遺伝子のコーディング配列で形質転換すること、及びそれらから植物体を再生させることを含む、植物体の湛水害耐性（ｗａｔｅｒ ｌｏｇｇｉｎｇ ｔｏｌｅｒａｎｃｅ）を改良するための方法も、提供される。
【００１４】
本発明は、植物細胞、プロトプラスト、外植片、植物部分、又は植物器官におけるジベレリン生合成を誘導するための方法も提供する。その方法は、該植物細胞又はプロトプラストにおけるＳＨ２Ａタンパク質又はＳＨ２Ａ様タンパク質のレベル又は活性を調整することを含む。同様に、該植物の細胞におけるＳＨ２Ａタンパク質又はＳＨ２Ａ様タンパク質のレベル又は活性を調整することを含む、植物におけるジベレリン生合成を誘導するための方法が、本発明により提供される。
【００１５】
内部のＳＨ２Ａタンパク質又はＳＨ２Ａ様タンパク質のレベル又は活性を調整することを含む、植物細胞、プロトプラスト、外植片、植物部分、又は植物器官における嫌気応答タンパク質を調節する方法も、提供される。例えば、嫌気応答タンパク質ピルビン酸デカルボキシラーゼ２が、このようにして調節されうる。
【００１６】
本発明は、該ヌクレオチド配列の発現を指図するプロモーター配列と作動可能に連結されたＳＨ２Ａ遺伝子又はＳＨ２Ａ様遺伝子のヌクレオチド配列を含む遺伝子構築物も提供する。ＳＨ２Ａ遺伝子又はＳＨ２Ａ様遺伝子は、例えば、ｃＤＮＡ又はゲノム配列でありうる。遺伝子構築物は、プロモーター配列に対してセンス方向又はアンチセンス方向で内部に含まれているＳＨ２Ａ遺伝子又はＳＨ２Ａ様遺伝子のヌクレオチド配列を有しうる。ＳＨ２Ａ遺伝子又はＳＨ２Ａ様遺伝子の発現のサイレンシング（ｓｉｌｅｎｃｉｎｇ）を目的とする遺伝子構築物は、プロモーター配列に対してセンス方向及び／又はアンチセンス方向で内部に含まれているＳＨ２Ａ遺伝子又はＳＨ２Ａ様遺伝子のヌクレオチド配列（又は１個以上のそれらの断片）を有しうる。
【００１７】
異種コーディング配列と作動可能に連結されたＳＨ２Ａ遺伝子又はＳＨ２Ａ様遺伝子のプロモーターを含むキメラ遺伝子構築物も、提供される。
【００１８】
配列番号５、７、９、１１、１３、１５、及び１７に示された核酸配列からなる群より選択されるＳＨ２Ａ様タンパク質をコードする単離された核酸も、本発明により提供される。
【００１９】
さらに、本発明は、配列番号６、８、１０、１２、１４、１６、及び１８に示されたアミノ酸配列からなる群より選択されるアミノ酸配列を有する、単離されたＳＨ２Ａ様タンパク質を提供する。
【００２０】
本発明により、ＳＨ２Ａと名付けられたイネ（オリザ・サティバ）由来の遺伝子が、植物の少酸素、即ち低酸素の条件への適応能に関与していることが発見された。さらに、ＳＨ２Ａの遺伝子産物が、真核生物に遍在している高度に保存されたタンパク質のファミリーに属することも発見された。
【００２１】
浸水と関連した低酸素条件は、水害（ｆｌｏｏｄｉｎｇ）条件、境界層効果、及び植物組織代謝の結果であるため、定義するのが困難である。大部分の環境において、過多水（ｆｌｏｏｄｗａｔｅｒ）中の酸素濃度は、通常、空気飽和未満（即ち、低酸素）である。しかしながら、特に夜間は、低酸素条件ではなく、酸素が完全に存在しない、即ち無酸素の条件になりうる。酸素が飽和した過多水ですら、浸水した植物組織中には無酸素のコアが生じる場合がある（Ｓｅｔｔｅｒ ｅｔ ａｌ， １９９７及びその中で引用された参照）。本明細書において使用されるように、「低酸素条件」とは、無酸素条件、及び酸素亜飽和、即ち空気飽和未満の条件を含む任意の条件を意味する。ほとんどの場合、無酸素又は亜飽和の条件は一時的である。
【００２２】
本発明は、イネ由来のＳＨ２Ａ遺伝子及び対応するＳＨ２Ａタンパク質を提供する。本発明は、様々な生物に由来するＳＨ２Ａ様遺伝子及びＳＨ２Ａホモログも提供する。本明細書において使用されるように、「ＳＨ２Ａ様遺伝子」及び「ＳＨ２Ａ遺伝子又は類似遺伝子」とは、相同ヌクレオチド配列により示されるような、イネのＳＨ２Ａ遺伝子に相当する、イネ（オリザ・サティバ）以外の生物に由来する遺伝子をさす。「ＳＨ２Ａ様タンパク質」及び「ＳＨ２Ａホモログ」とは、相同アミノ酸配列、並びに低酸素条件下での適応及び／又は成長を授与する機能により示されるような、イネ以外の生物のＳＨ２Ａ相同タンパク質をさす。従って、本発明は、ＳＨ２Ａ、並びにその誘導体、ホモログ、及び機能的アナログに関する。「ＳＨ２Ａタンパク質又は類似タンパク質」という用語の本明細書における使用は、そのような相同又は非相同の誘導体、ホモログ、及び機能的アナログ全てを包含する。ＳＨ２Ａ遺伝子配列及びＳＨ２Ａ様遺伝子配列、並びに対応するタンパク質は、特定の細胞と同種、即ちそのような細胞に天然に存在するものであってもよいし、又は細胞と異種であってもよく、即ち遺伝子配列又はタンパク質は、同一生物由来ではない起源からの細胞へと導入されうる。
【００２３】
本発明のもう一つの面において、低酸素条件下での細胞の増殖又は生存を調整するための方法が提供される。その方法は、生物の細胞、組織、又は器官におけるＳＨ２Ａタンパク質又はＳＨ２Ａ様タンパク質のレベル及び／又は活性を調整することを含む。そのようなＳＨ２Ａタンパク質又は類似タンパク質のレベル及び／又は活性の調整は、それらの生物の細胞、組織、又は器官の低酸素条件への適応を可能にする。一つの実施態様において、生物は動物である。特に好ましいのは、哺乳動物種に属する生物の細胞、組織、又は器官である。ＳＨ２Ａホモログ又はＳＨ２Ａアゴニストは、低酸素条件下での細胞の増殖及び生存を調整するため、培養中の動物細胞に投与されうる。ＳＨ２Ａホモログ又はＳＨ２Ａアゴニストは、ｉｎ ｖｉｖｏの低酸素部位の細胞へも投与されうる。従って、卒中又は心発作の患者は、低酸素の臨床的影響を減少させるために十分な量、有効量のＳＨ２Ａホモログ又はＳＨ２Ａアゴニストを投与されうる。ｅｘ ｖｉｖｏ遺伝子治療法においては、ＳＨ２Ａ様遺伝子を使用して、ＳＨ２Ａホモログを過剰発現するようヒト細胞が形質転換され、形質転換された細胞が、患者へ、好ましくは低酸素部位へ移植される。動物、好ましくは哺乳動物の細胞、組織、又は器官におけるＳＨ２Ａタンパク質又はＳＨ２Ａ様タンパク質のレベル及び／又は活性の調整のための該方法は、他の低酸素関連病理の治癒又は緩解においても有用であるかもしれない。動物、好ましくは哺乳動物におけるそのような低酸素条件は、見られ、進行性繊維症を特徴とする末期腎疾患（Ｎｏｒｍａｎ ｅｔ ａｌ， １９９９）、心筋虚血（Ｓｉｎｕｓａｓ １９９９）、肝硬変（Ｍａｒｕｙａｍａ ｅｔ ａｌ， １９９４）、及び高高度性網膜症（ｈｉｇｈ−ａｌｔｉｔｕｄｅ ｒｅｔｉｎｏｐａｔｈｙ）及びその他の高度関連疾病（Ｗｉｅｄｍａｎ ａｎｄ Ｔａｂｉｎ １９９９）を含む。窒息を起こした新生児は、低酸素症、特に低酸素性虚血性脳傷害に対して特に脆弱である（Ｇｕｃｕｙｅｎｅｒ ｅｔ ａｌ， １９９９）。動物、好ましくは哺乳動物における低酸素条件は、腫瘍の浸潤、転移、及び致死性により作出された微小環境にも見られる。固形腫瘍は、新血管新生及び増加した解糖のみならず、低酸素により誘導可能な転写因子の過剰発現も特徴とする（Ｚｈｏｎｇ ｅｔ ａｌ， １９９９）。
【００２４】
もう一つの実施態様において、本発明は、腫瘍細胞におけるＳＨ２Ａタンパク質又はＳＨ２ａ様タンパク質のレベル及び／又は活性の調整のための方法を含む。該方法は、低酸素条件下での細胞の増殖及び生存を減少させるための、動物、好ましくは哺乳動物の培養細胞への、例えばドミナントネガティブＳＨ２Ａホモログの投与、又は例えばＳＨ２Ａアゴニストの投与を含む。ＳＨ２Ａホモログ又はＳＨ２Ａアゴニストは、ｉｎ ｖｉｖｏの低酸素部位の細胞へも投与されうる。従って、癌患者は、癌性腫瘍細胞の増殖を減少させるために十分な量、有効量のＳＨ２Ａホモログ又はＳＨ２Ａアゴニストを投与されうる。ｅｘ ｖｉｖｏ遺伝子治療法においては、例えばドミナントネガティブＳＨ２Ａ様タンパク質をコードするＳＨ２Ａ様遺伝子を使用して、ＳＨ２Ａホモログを過剰発現するようヒト細胞が形質転換され、形質転換された細胞が癌患者、好ましくは腫瘍発生部位に移植される。好ましくは、哺乳動物はヒトであり、ＳＨ２Ａ様遺伝子及び対応する遺伝子産物は、配列番号１３に示されたヌクレオチド配列及び配列番号１４に示されたアミノ酸配列を有する。ヒト細胞を形質転換する方法、及びヒト細胞において機能するプロモーター配列は、文献中に周知である。
【００２５】
水害と関連した限定された気体拡散を克服するため、イネ植物は、品種によって、浸水耐性化、又は浸水から脱出するための伸長という２つの手段のうちの一方で応答する。水位が後退した後に比較的背の高い植物体が倒伏する傾向があるため、短期間の水害条件下での伸長は、不利である。しかしながら、イネが深水中で成長しているか、又は浮遊している範囲においては、伸長は望ましい。伸長応答を、ジベレリン生合成阻害剤パクロブトラゾール（ｐａｃｌｏｂｕｔｒａｚｏｌ）の噴霧により阻害した場合、非浸水耐性品種の実生の生存は、大きく増強されうる。浸水耐性には、エネルギー生成メカニズムとしての効率的なアルコール発酵が伴う（Ｓｅｔｔｅｒ ｅｔ ａｌ， １９９７及びその中で引用された参照）。浸水条件は、低酸素をもたらすのみならず、エチレンの蓄積をも引き起こし、それが、植物ホルモンＧＡとＡＢＡとの比率を改変する。アラビドプシス・タリアナ（Ａｒａｂｉｄｏｐｓｉｓ ｔｈａｌｉａｎａ）のＳＨ２Ａ様遺伝子のプロモーター領域の分析（図１０／実施例７参照）は、浸水に起因する改変（低酸素、エチレン、ＧＡ、ＡＢＡ）１個以上に応答性のプロモーター因子が存在することを示している。
【００２６】
浸水耐性の発現又は伸長応答のいずれかを介した低酸素への適応及び低酸素の有害効果の克服は、明らかに収穫量に影響するであろう。さらに、増加した種子のサイズ、従って増加した炭水化物含量は、イネ実生の浸水耐性における重要な要因である（Ｓｅｔｔｅｒ ｅｔ ａｌ， １９９７）。
【００２７】
本発明のもう一つの面において、ＳＨ２Ａタンパク質又は類似タンパク質のレベル及び／又は活性を調整することを含む、植物の細胞、組織、又は器官の成長応答を改変する方法が提供される。ＳＨ２Ａタンパク質又は類似タンパク質のレベル又は活性の調整は、植物体のサイズ及び／又は構造及び／又は収量に関する、細胞、組織、又は器官の成長の改変を可能にする。ＳＨ２Ａ又はＳＨ２Ａホモログのレベル又は活性の調整は、遺伝子レベルで、即ちＳＨ２Ａ遺伝子もしくは類似遺伝子、又は該ＳＨ２Ａ遺伝子もしくは類似遺伝子のＲＮＡを標的とするリボザイムをコードする遺伝子で植物を形質転換することにより、実施されうる。ＳＨ２Ａ遺伝子又はＳＨ２Ａ様遺伝子は、センス方向又はアンチセンス方向のいずれかで植物細胞を形質転換するために使用されうる。細胞増殖の変化、例えば植物茎の伸長の増加又は減少を起こさせるためには、センス方向のＳＨ２Ａ遺伝子又は類似遺伝子が、植物細胞、プロトプラスト、外植片、植物部分（例えば、胚、子房、花粉、根、茎の一部、胚軸、分裂組織等）、又は植物器官を形質転換するために使用される。ＳＨ２Ａ遺伝子又はＳＨ２Ａ様遺伝子は、共抑制を引き起こすためセンス方向で使用されてもよいし、又は再生した植物体が、例えば植物の茎の伸長の増加もしくは減少を示すよう、植物細胞、プロトプラスト、外植片、植物部分、もしくは植物器官を形質転換するために、アンチセンス方向で使用されてもよい。ＳＨ２Ａ遺伝子又はＳＨ２Ａ様遺伝子のＲＮＡを標的とするリボザイムをコードする遺伝子で形質転換された植物細胞、プロトプラスト、外植片、植物部分、又は植物器官から再生した植物体においても、類似の効果が得られうる。ＳＨ２Ａ又はＳＨ２Ａホモログのレベル又は活性の調整は、さらに、突然変異誘発、例えばＴ−ＤＮＡもしくはトランスポゾンの挿入、又は例えばＷＯ９８／３６０８３、ＷＯ９８／５３０８３、ＷＯ９９／１５６８２、もしくはＷＯ９９／５３０５０に記載されたような遺伝子サイレンシング戦略により、遺伝子レベルで実施されうる。ＳＨ２Ａ遺伝子又はＳＨ２Ａ様遺伝子の発現のサイレンシングを目的とする遺伝子構築物は、プロモーター配列に対してセンス方向及び／又はアンチセンス方向で含まれたＳＨ２Ａ遺伝子又はＳＨ２Ａ様遺伝子のヌクレオチド配列（又は、それらの１個以上の断片）を有しうる。
【００２８】
ＳＨ２Ａタンパク質又はＳＨ２Ａ様タンパク質のレベル又は活性の調整は、ＳＨ２Ａ、ＳＨ２Ａホモログ、もしくはＳＨ２Ａアゴニストを細胞に投与するか、又はそれらに細胞を曝すことにより、タンパク質レベルでも実施されうる。そのような適用は、例えば動物の細胞及び組織の培養物、並びに植物細胞において特に有用である。ＳＨ２Ａタンパク質又はＳＨ２Ａ様タンパク質のレベル又は活性の調整は、免疫調整、即ち宿主細胞におけるＳＨ２Ａタンパク質又はＳＨ２Ａ様タンパク質に特異的な抗体の発現によっても媒介されうる。そのような抗体は、「プランティボディ（ｐｌａｎｔｉｂｏｄｉｅｓ）」、単鎖抗体、ＩｇＧ抗体、Ｆａｂ断片、及び重鎖ラクダ抗体を含む。
【００２９】
ＳＨ２Ａタンパク質又はＳＨ２Ａ様タンパク質の配列のより精密な調査は、大部分（図２及び４参照）が、核移行配列（ＮＬＳ：ＫＲＸＲ、イネＳＨ２Ａの残基６４〜６７）を含有しており、いくつかが破壊ボックスモチーフ（ＲＸ２ＬＸ２，３Ｎ、イネＳＨ２Ａの残基１４５〜１５２）を含有していることを明らかにした。ＮＬＳは、通常は細胞質に位置しており、マイトジェン又はストレスのような特異的シグナルの影響下で核へと移行し、核内で機能するタンパク質に特徴的なものである。そのようなタンパク質は、転写因子及び細胞周期タンパク質を含む。核に必要であるが、それ自体はＮＬＳを含有していないタンパク質を核へと輸送するためのシャトル、即ち、いわゆるピギーバック（ｐｉｇｇｙ−ｂａｃｋ）メカニズムとして作用しうるＮＬＳ含有タンパク質も存在する。（通常調節性の）タンパク質における破壊ボックスモチーフの存在は、該タンパク質の活性を時間的に制限するための効率的なメカニズムである、そのようなタンパク質の迅速な代謝回転の指標である。ＳＨ２Ａタンパク質又はＳＨ２Ａ様タンパク質は、核において機能し、従って（１個以上の）核過程に関与していると予想される。そのような過程は、遺伝子転写の調節（例えば、直接的に転写因子として、又は間接的に転写因子のシャトルとして）及び細胞周期の調節を含む。動物において、低酸素は細胞周期を調整する、即ち、低酸素は、分裂促進サイクリンＡ及びＢの合成を阻害することにより、マイトジェンにより活性化された細胞において増殖抑制状態を誘導する（Ｎａｌｄｉｎｉ ａｎｄ Ｃａｒｒａｒｏ １９９９）。低酸素は、サイクリン依存性キナーゼの阻害剤であるｐ２１（ｗａｆ１／ｃｉｐ１）のレベルも増加させる（Ｚａｍａｎ ｅｔ ａｌ， １９９９）。動物細胞周期タンパク質の多くが植物における（１個以上の）対応物を有しているため（植物細胞周期に関する概説は、Ｍｉｒｏｎｏｖ ｅｔ ａｌ， １９９９参照）、低酸素は、浸水耐性植物においては植物細胞周期を抑制するが、浸水した植物体の伸長応答においては植物細胞周期を増強するという可能性が高い。従って、ＳＨ２Ａタンパク質又はＳＨ２Ａ様タンパク質が、遺伝子転写の調節因子及び／又は細胞周期の調節因子として機能する可能性は排除できない。細胞周期の調節因子としてのＳＨ２Ａタンパク質又はＳＨ２Ａ様タンパク質の可能性のある役割は、以下のように想像されうる。イネに関して上述したように、植物体は、耐性の顕示又は伸長の顕示（即ち、浸水感受性）という２つの手段のうちのいずれか一方で浸水誘導低酸素に応答することができる。
【００３０】
第一のモデルにおいて、ＳＨ２Ａタンパク質又はＳＨ２Ａ様タンパク質は、細胞周期制御遺伝子又は細胞周期制御タンパク質の負の調節因子として作用しうる。浸水耐性植物においては、低酸素により誘導されるシグナル伝達カスケードが、ＳＨ２Ａ遺伝子又はＳＨ２Ａ様遺伝子の増強された発現をもたらすであろう。結果として、細胞周期が遮断され、伸長は起こらないであろう。伸長を示す浸水感受性植物においては、該低酸素により誘導されるシグナル伝達カスケードの中心的成分の欠如が、ＳＨ２Ａタンパク質又はＳＨ２Ａ様タンパク質の蓄積を防止するであろう。結果として、細胞周期は、遮断されず、その後、例えば初期成長中のＳＨ２Ａ  ｍＲＮＡもしくはＳＨ２Ａ様ｍＲＮＡの減少した安定性のため、又はＳＨ２Ａタンパク質もしくはＳＨ２Ａ様タンパク質の希釈のために増強され、それが迅速な伸長応答を引き起こしうる。
【００３１】
第二のモデルにおいては、ＳＨ２Ａタンパク質又はＳＨ２Ａ様タンパク質は、細胞周期制御遺伝子又は細胞周期制御タンパク質の正の調節因子として作用しうる。該細胞周期制御遺伝子又は細胞周期制御タンパク質は、この場合、例えば他の細胞周期制御遺伝子又は他の細胞周期制御タンパク質の阻害剤を含むであろう。異なる植物応答、浸水耐性又は伸長は、やはり低酸素により誘導されるシグナル伝達カスケードの中心的成分の存在又は欠如によりそれぞれ説明されうる。２つのモデルいずれにおいても、該低酸素により誘導されるシグナル伝達カスケードの中心的成分は、例えば浸水耐性のためのイネ主要遺伝子座の遺伝子によりコードされるのかもしれない（Ｘｕ ａｎｄ Ｍａｃｋｉｌｌ １９９６）。
【００３２】
「細胞周期」という用語は、細胞の増殖及び分裂、特にＤＮＡ複製及び有糸分裂の調節と関連した、周期的な生化学的及び構造的イベントを意味する。細胞周期は、Ｇ０期、Ｇａｐ１（Ｇ１）期、ＤＮＡ合成（Ｓ）期、Ｇａｐ２（Ｇ２）期、及び有糸分裂（Ｍ）期と呼ばれる期を含む。通常、これらの４つの期は連続的に起こるが、細胞周期は、核内有糸分裂、細胞質分裂、倍数性、多糸性、及び核内倍加（ｅｎｄｏｒｅｄｕｐｌｉｃａｔｉｏｎ）のような修飾された周期も含む。
【００３３】
「細胞周期相互作用タンパク質」、「細胞周期タンパク質」、又は「細胞周期制御タンパク質」という用語は、本明細書において示されるように、細胞、組織、器官、もしくは生物全体の細胞周期もしくはその一部、並びに／又はＤＮＡ複製の制御を行うか、もしくは調節するか、もしくはそれらに必要なタンパク質を意味する。それは、サイクリン依存性キナーゼ又はそれらのサブユニットと結合する能力、それらを調節する能力、又はそれらによって調節される能力を有していてもよい。その用語は、それらのペプチド、ポリペプチド、断片、異型、ホモログ、対立遺伝子、又は前駆体（例えば、プレプロタンパク質）も含む。
【００３４】
細胞周期制御タンパク質及び真核生物の細胞周期の調節におけるそれらの役割は、Ｊｏｈｎ（１９８１）及びその中に与えられた論文（Ｎｏｒｂｕｒｙ ａｎｄ Ｎｕｒｓｅ １９９２； Ｎｕｒｓｅ １９９０； Ｏｒｍｒｏｄ ａｎｄ Ｆｒａｎｃｉｓ １９９３）及びその中に与えられた論文（Ｄｏｅｒｎｅｒ ｅｔ ａｌ， １９９６； Ｅｌｌｅｄｇｅ １９９６； Ｆｒａｎｃｉｓ ａｎｄ Ｈａｌｆｏｒｄ １９９５； Ｆｒａｎｃｉｓ ｅｔ ａｌ， １９９８； Ｈｉｒｔ ｅｔ ａｌ， １９９１； Ｍｉｒｏｎｏｖ ｅｔ ａｌ， １９９９）により詳細に概説されており、これらは参照により組み込まれる。
【００３５】
「細胞周期制御遺伝子」という用語は、染色体ＤＮＡ合成、及び有糸分裂（前記前微小管束、核膜、紡錘体形成、染色体凝縮、染色体分離、新たな核の形成、隔膜形成体の形成等）、減数分裂、細胞質分裂、細胞増殖、及び核内倍加の制御を行うか、もしくはそれらに必要な任意の遺伝子、又はそれらの変異体をさす。ＣＤＫ、サイクリン、Ｅ２Ｆ、Ｒｖ、ＣＫＩ、Ｃｋｓのホモログのような前記の制御を行う全ての遺伝子、例えばサイクリンＤ、ｃｄｃ２５、Ｗｅｅｌ、Ｎｉｍｌ、ＭＡＰキナーゼ等のような前記を妨害する任意の遺伝子も、細胞周期制御遺伝子である。
【００３６】
より具体的には、Ｓ期への進入及び進行の制御に関与している全ての遺伝子が細胞周期制御遺伝子である。それらは、排他的にではないが、サイクリン依存性キナーゼ（ＣＤＫ）、サイクリン依存性キナーゼ阻害剤（ＣＫＩ）、Ｄ、Ｅ、及びＡサイクリン、Ｅ２Ｆ、及びＤＰ転写因子、ポケットタンパク質（ｐｏｃｋｅｔ ｐｒｏｔｅｉｎｓ）、ＣＤＣ７／ＤＢＦ４キナーゼ、ＣＤＣ６、ＭＣＭ２−７、Ｏｒｅタンパク質、ｃｄｃ４５、ＳＣＦユビキチンリガーゼの成分、ＰＣＮＡ、ＤＮＡ−ポリメラーゼのような「細胞周期制御タンパク質」を発現する遺伝子を含む。
【００３７】
「細胞周期制御タンパク質」という用語は、ＣＹＣＡ１；１、ＣＹＣＡＣ２；１、ＣＹＣＡ３；１、ＣＹＣＢ１；１、ＣＹＣＢ１；２、ＣＹＣＢ２；２、ＣＹＣＤ１；１、ＣＹＣＤ２；１、ＣＹＣＤ３；１、及びＣＹＣＤ４；１（Ｅｖａｎｓ ｅｔ ａｌ， １９８３； Ｆｒａｎｃｉｓ ｅｔ ａｌ， １９９８； Ｌａｂｂｅ ｅｔ ａｌ， １９８９； Ｍｕｒｒａｙ ａｎｄ Ｋｉｒｓｃｈｎｅｒ １９８９； Ｒｅｎａｕｄｉｎ ｅｔ ａｌ， １９９６； Ｓｏｎｉ ｅｔ ａｌ， １９９５； Ｓｃｒｒｅｌｌ ｅｔ ａｌ， １９９９； Ｓｗｅｎｓｏｎ ｅｔ ａｌ， １９８６）を含むサイクリンＡ、Ｂ、Ｃ、Ｄ、及びＥ、サイクリン依存性キナーゼ阻害剤（ＣＫＩ）タンパク質、例えばＩＣＫ１（Ｗａｎｇ ｅｔ ａｌ， １９９７）、ＦＬ３９、ＦＬ６６、ＦＬ６７（ＰＣＴ／ＥＰ９８／０５８９５）、Ｓｉｃ１、Ｆａｒ１、Ｒｕｍ１、ｐ２１、ｐ２７、ｐ５７、ｐ１６、ｐ１５、ｐ１８、ｐ１９（Ｅｌｌｅｄｇｅ １９９６； Ｐｉｎｅｓ １９９５）、ｐ１４、及びｐ１４ＡＲＦ；ｐ１３ｓｕｃ１又はＣＫＳ１Ａｔ（Ｄｅ Ｖｅｙｌｄｅｒ ｅｔ ａｌ， １９９７； Ｈａｙｌｅｓ ａｎｄ Ｎｕｒｓｅ １９８６）及びｎｉｍ−１（Ｒｕｓｓｅｌｌ ａｎｄ Ｎｕｒｓｅ １９８７ａ； Ｒｕｓｓｅｌｌ ａｎｄ Ｎｕｒｓｅ １９８７ｂ； Ｆａｎｔｅｓ １９８９； Ｒｕｓｓｅｌｌ ａｎｄ Ｎｕｒｓｅ １９８６； Ｒｕｓｓｅｌｌ ａｎｄ Ｎｕｒｓｅ １９８７ａ； Ｒｕｓｓｅｌｌ ａｎｄ Ｎｕｒｓｅ １９８７ｂ）、Ｃｄｃ２のホモログ、例えばＣｄｃ２ＭｓＢ（Ｈｉｒｔ ｅｔ ａｌ， １９９３）、ＣｄｃＭｓキナーゼ（Ｂｏｇｒｅ ｅｔ ａｌ， １９９７）、ｃｄｃ２Ｔ１４Ｙ１５ホスファターゼ、例えばＣｄｃ２５プロテインホスファターゼ又はｐ８０ｃｄｃ２５（Ｂｅｌｌ ｅｔ ａｌ， １９９３； Ｅｌｌｅｇｄｅ １９９６； Ｋｕｍａｇａｉ ａｎｄ Ｄｕｎｐｈｙ １９９１； Ｒｕｓｓｅｌｌ ａｎｄ Ｎｕｒｓｅ １９８６）及びＰｙｐ３（Ｅｌｌｅｇｄｅ １９９６）、ｃｄｃ２プロテインキナーゼ又はｐ３４ｃｄｃ２（Ｃｏｌａｓａｎｔｉ ｅｔ ａｌ， １９９１； Ｆｅｉｌｅｒ ａｎｄ Ｊａｃｏｂｓ １９９０； Ｈｉｒｔ ｅｔ ａｌ， １９９１； Ｊｏｈｎ ｅｔ ａｌ， １９８９； Ｌｅｅ ａｎｄ Ｎｕｒｓｅ １９８７； Ｎｕｒｓｅ ａｎｄ Ｂｉｓｓｅｔｔ １９８１； Ｏｒｍｒｏｄ ａｎｄ Ｆｒａｎｃｉｓ １９９３）、ｃｄｃ２ａプロテインキナーゼ（Ｈｅｍｅｒｌｙ ｅｔ ａｌ， １９９３）、ｃｄｃ２Ｔ１４Ｙ１５キナーゼ、例えばｗｅｅｌ又はｐ１０７ｗｅｅｌ（Ｅｌｌｅｇｄｅ １９９６； Ｒｕｓｓｅｌｌ ａｎｄ Ｎｕｒｓｅ １９８６； Ｒｕｓｓｅｌｌ ａｎｄ Ｎｕｒｓｅ １９８７ａ； Ｒｕｓｓｅｌｌ ａｎｄ Ｎｕｒｓｅ １９８７ｂ； Ｓｕｎ ｅｔ ａｌ， １９９９）、ｍｉｋ１（Ｌｕｎｄｇｒｅｎ ｅｔ ａｌ， １９９１）及びｍｙｔ１（Ｅｌｌｅｇｄｅ １９９６）；ｃｄｃ２Ｔ１６１キナーゼ、例えばＣａｋ及びＣｉｖ（Ｅｌｌｅｇｄｅ １９９６）；ｃｄｃ２Ｔ１６１ホスファターゼ、例えばＫａｐ１（Ｅｌｌｅｇｄｅ １９９６）；ｃｄｃ２８プロテインキナーゼ又はｐ３４ｃｄｃ２８（Ｎａｓｍｙｔｈ １９９３； Ｒｅｅｄ ｅｔ ａｌ，１９８５）、ｐ４０ＭＯ１５（Ｆｅｓｑｕｅｔ ｅｔ ａｌ，１９９３； Ｐｏｏｎ ｅｔ ａｌ， １９９３）、ｃｈｋ１キナーゼ（���ｅｎｇ ｅｔ ａｌ， １９９８）、ｃｄｓ１キナーゼ（Ｚｅｎｇ ｅｔ ａｌ， １９９８）、増殖関連Ｈ１キナーゼ（Ｌａｂｂｅ ｅｔ ａｌ， １９８９； Ｌａｋｅ ａｎｄ Ｓａｌｚｍａｎ １９７２； Ｌａｎｇａｎ １９７８； Ｚｅｎｇ ｅｔ ａｌ， １９９８）、（Ｂｉｎａｒｏｖａ ｅｔ ａｌ， １９９８； Ｂｏｅｇｒｅ ｅｔ ａｌ， １９９９； Ｃａｌｄｅｒｉｎｉ ｅｔ ａｌ， １９９８； Ｗｉｌｓｏｎ ｅｔ ａｌ， １９９９）により記載されたＭＡＰキナーゼを含む。
【００３８】
サイクリンＤにより媒介される細胞のＧ０からＧ１への進入に関与している、その他の細胞周期制御タンパク質は、ｐＲｂ（Ｘｉｅ ｅｔ ａｌ， １９９６； Ｈｕｎｔｌｅｙ ｅｔ ａｌ， １９９８）、Ｅ２Ｆ、ＲＩＰ、ＭＣＭ７を含み、そしてｐＲｂ様タンパク質ｐ１０７及びｐ１３０を含むかもしれない。
【００３９】
これらに限定されないがＯＲＣ、ＣＤＣ６、ＣＤＣ１４、ＲＰＡ、及びＭＣＭタンパク質のような１個以上の複製開始点におけるプレ複製複合体の形成、これらに限定されないがＣＤＣ７、ＤＢＦ４、及びＭＢＦタンパク質のようなこのプレ複製複合体の形成の調節に関与している、さらなる細胞周期制御タンパク質。
【００４０】
本明細書において使用されるように、「細胞周期タンパク質」及び「細胞周期制御タンパク質」という用語は、他の細胞周期制御タンパク質の代謝回転、又は他の細胞周期制御タンパク質の半減期の調節に関与しているタンパク質のうちの任意の１個以上を含む。「タンパク質代謝回転」という用語は、該タンパク質の物理的又は機能的な除去をもたらす全てのタンパク質の生化学的修飾を含むものとする。これらに限定されないが、そのような修飾の例は、リン酸化、ユビキチン化、及びタンパク質分解である。前記の他の細胞周期制御タンパク質のうちの任意の１個以上のタンパク質分解に関与している特に好ましいタンパク質は、酵母由来及び動物由来のタンパク質、Ｓｋｐ１、Ｓｋｐ２、Ｒｕｂ１、Ｃｄｃ２０、キュリン（ｃｕｌｌｉｎｓ）、ＣＤＣ２３、ＣＤＣ２７、ＣＤＣ１６、及びそれらの植物由来ホモログである（Ｃｏｈｅｎ−Ｆｉｘ ａｎｄ Ｋｏｓｈｌａｎｄ １９９７； Ｈｏｃｈｓｔｒａｓｓｅｒ １９９８； Ｋｒｅｋ １９９８； Ｌｉｓｚｔｗａｎ ｅｔ ａｌ， １９９８）、及び（Ｆｒａｎｃｉｓ ｅｔ ａｌ， １９９８）中のＰｌｅｓｓｅ ｅｔ ａｌ）。
【００４１】
本発明の目的のため、「細胞周期制御遺伝子」という用語は、転写因子及び上流シグナルタンパク質のような細胞周期制御遺伝子発現の転写調節に関与している遺伝子のうちの任意の１個以上を含む。さらなる細胞周期制御遺伝子も、排除されない。
【００４２】
本明細書において使用されるように、「細胞周期制御遺伝子」という用語は、さらに、例えばストレス、栄養、病原体のような環境的シグナル、又は動物マイトジェンもしくは植物ホルモン（オーキシン、サイトカイニン、エチレン、ジベレリン酸、アブシジン酸、及びブラシノステロイド）のような内因性シグナルにより影響を受ける任意の細胞周期制御遺伝子又はそれらの変異体を含む。
【００４３】
上述のような遺伝子転写及び／又は細胞周期及び／又は細胞代謝のＳＨ２Ａタンパク質又はＳＨ２Ａ様タンパク質による調節は、タンパク質−タンパク質相互作用、又はタンパク質−核酸相互作用の結果であり得る。従って、ＳＨ２Ａタンパク質又はＳＨ２Ａ様タンパク質により作用を受ける可能性のある標的のレベル及び／又は活性の調整も、生物の細胞、組織、又は器官の成長の間接的な改変に寄与しうる。ＳＨ２Ａタンパク質又はＳＨ２Ａ様タンパク質の標的のレベル及び／又は活性が調整される、この型の生物の細胞、組織、又は器官の成長の間接的な改変は、例えばＳＨ２Ａタンパク質又はＳＨ２Ａ様タンパク質のレベル及び／又は活性の調整と関連した不要な多面的な効果の発生が回避されるという利点を有しうる。
【００４４】
潜在的なＳＨ２Ａタンパク質又はＳＨ２Ａ様タンパク質のタンパク質性標的の同定のための方法は、当業者に周知であり、ＳＨ２Ａタンパク質又はＳＨ２Ａ様タンパク質をおとり（ｂａｉｔ）として使用した酵母ツーハイブリッドスクリーニング、及びＳＨ２Ａタンパク質又はＳＨ２Ａ様タンパク質に対する抗体を使用した免疫沈降を含む。同定されたタンパク質性標的は、内因性調整因子、例えばＳＨ２Ａのレベル及び／もしくは活性、又はＳＨ２Ａ様タンパク質のレベル及び／もしくは活性の阻害剤又は活性化剤を含みうる。可能性のあるＳＨ２Ａタンパク質又はＳＨ２Ａ様タンパク質の核酸性標的の同定のための方法は、単純ではないが、可能であり、例えば遺伝子発見法（即ち、ＳＨ２Ａタンパク質又はＳＨ２Ａ様タンパク質により発現が影響される遺伝子の同定）、それに続く例えば該発見された遺伝子に由来する重複するプロモーター断片のセットのゲルシフト分析を含みうる。同定された核酸標的は、ＳＨ２Ａタンパク質もしくはＳＨ２Ａ様タンパク質をコードする遺伝子の発現、又はＳＨ２Ａタンパク質もしくはＳＨ２Ａ様タンパク質の活性の調整因子、例えば増強因子又は阻害剤をコードする内因性遺伝子を含みうる。
【００４５】
従って、低酸素条件下での細胞の増殖又は生存は、ＳＨ２Ａタンパク質又はＳＨ２Ａ様タンパク質と相互作用するタンパク質又は核酸のレベル及び／又は活性の調整によっても達成されうる。生物の細胞、組織、又は器官におけるそのようなタンパク質及び／又は核酸配列のレベル及び／又は活性の調整は、ＳＨ２Ａタンパク質もしくはＳＨ２Ａ様タンパク質のレベル及び／もしくは活性の調整、並びに／又は低酸素条件に対する生物の細胞、組織、もしくは器官の適応の改変を可能にする。
【００４６】
ＯＭＩＧＡ２．０ソフトウェア（Ｏｘｆｏｒｄ Ｍｏｌｅｃｕｌａｒ）と共に提供されるモチーフデータベースを使用したイネＳＨ２Ａアミノ酸配列のさらなる分析は、複数の推定リン酸化部位：５個の非重複カゼインキナーゼＩＩ（ＣＫ２）リン酸化部位、１個のプロテインキナーゼＣ（ＰＫＣ）リン酸化部位、及び４個（そのうち３個は非重複）のチロシン（ＴＹＲ）リン酸化部位の存在を明らかにした。これらの部位の位置は、表１に示されている。イネＳＨ２Ａタンパク質の推定リン酸化部位の多くは、他の起源由来のＳＨ２Ａ様タンパク質においても保存されている（図２参照）。従って、ＳＨ２Ａタンパク質又はＳＨ２Ａ様タンパク質の生物学的活性及び／又はタンパク質代謝回転のターゲティングは、そのリン酸化状態の調節により調節されている可能性がある。そのような調節は、異なる発達及び／又は環境条件においてプロテインキナーゼ及び／又はプロテインホスファターゼの活性のバランスを変化させることにより得られる。（セリン、トレオニン、及びチロシンのような）リン酸化可能アミノ酸の、（それぞれアラニン、アラニン、及びフェニルアラニンのような）非リン酸化可能アミノ酸へのターゲティッド交換は、構成性の生物学的活性又は不活性を示し、かつ／又は増加もしくは減少したタンパク質分解代謝回転速度を示す変異型のＳＨ２Ａタンパク質又はＳＨ２Ａ様タンパク質を与えるかもしれない。従って、本発明のもう一つの面において、（１個以上の）中心的リン酸化可能アミノ酸が（１個以上の）非リン酸化可能アミノ酸へと交換されている変異型ＳＨ２Ａタンパク質又はＳＨ２Ａ様タンパク質が同定される。該修飾されたＳＨ２Ａタンパク質又はＳＨ２Ａ様タンパク質の、生物の細胞、組織、又は器官における発現は、ＳＨ２Ａタンパク質又はＳＨ２Ａ様タンパク質の調整されたレベル及び／又は活性を引き起こし、そして生物の細胞、組織、又は器官の低酸素条件への適応の改変を可能にする。好ましくは、細胞の低酸素条件に対する適応が、増強される。
【００４７】
【表１】
2004500091.tif 000002
【００４８】
本発明によると、ＳＨ２Ａ又はＳＨ２Ａホモログのレベル又は活性を調整することにより、植物細胞、プロトプラスト、外植片、植物部分、又は植物器官においてジベレリン生合成が誘導されうる。また、本発明によると、ＳＨ２Ａ又はＳＨ２Ａホモログのレベル又は活性を調整することにより、植物細胞、プロトプラスト、外植片、植物部分、又は植物器官における嫌気応答タンパク質が調節されうる。
【００４９】
ＳＨ２Ａタンパク質又は類似タンパク質のレベル又は活性の調整は、１個以上のＳＨ２Ａ様遺伝子で、植物細胞、プロトプラスト、外植片、植物部分、又は植物器官を形質転換することを含みうる。同様に、ＳＨ２Ａの発現レベル又は活性の調整は、１個以上のＳＨ２Ａ様遺伝子で、動物の細胞、器官、又は胚を形質転換することを含みうる。当然、細菌、酵母、真菌、及びその他の生物は、標準的な組換えＤＮＡ法を使用して形質転換されうる。現在では、ＳＨ２Ａ様タンパク質は自然界に遍在していることが認識されているため、全てではないにしても大部分の生物の細胞が、ＳＨ２Ａホモログをコードする天然遺伝子を有するであろう。従って、例えば、１個以上のＳＨ２Ａ遺伝子又は類似遺伝子が、そのような生物を形質転換し、その結果、天然のＳＨ２Ａタンパク質又は類似タンパク質の発現を増加又は減少させるため、センス方向又はアンチセンス方向で使用されうる。
【００５０】
従って、ＳＨ２Ａ様タンパク質をコードし、例えば動物又は植物材料を形質転換するために使用されるヌクレオチド配列は、特定の植物又は動物の細胞に対して異種（外来）であってもよいし、又はそのような細胞に天然に存在するものであってもよい。得られたトランスジェニック植物細胞及び動物細胞、又はその他の生物の細胞は、特定の細胞のゲノムに対して異種のＳＨ２Ａ様遺伝子を含んでいてもよいし、特定の生物に対して異種のＳＨ２Ａ様タンパク質を含んでいてもよい。得られたトランスジェニックな植物細胞及び動物細胞、又はその他の生物は、特定の生物のゲノムに天然にも存在するがゲノムに追加されたＳＨ２Ａ様遺伝子を含んでいてもよい。さらに、ＳＨ２Ａ遺伝子又はＳＨ２Ａ様遺伝子のヌクレオチド配列は、該ヌクレオチド配列の発現を指図する調節領域に対してセンス方向又はアンチセンス方向の形態をとりうる。天然又は異種のＳＨ２Ａ様遺伝子は、標準的な組換えＤＮＡ法を使用して細胞へ添加される。
【００５１】
ＳＨ２Ａタンパク質又はＳＨ２Ａ様タンパク質の活性は、ＳＨ２Ａタンパク質又はＳＨ２Ａ様タンパク質、即ちＳＨ２Ａアゴニストと相互作用する化合物に生物の細胞を曝すか、又はそれらを生物の細胞に適用することにより調整されうる。ＳＨ２Ａタンパク質又はＳＨ２Ａ様タンパク質のレベルは、ＳＨ２Ａタンパク質又はＳＨ２Ａタンパク質の発現を増加又は減少させることにより調整されうる。発現の増加は、例えば、センス方向のＳＨ２Ａコーディング配列の付加により達成されうる。発現の減少は、例えば、アンチセンス方向のコーディング配列の付加により、挿入突然変異誘発により、又はその他の遺伝子サイレンシング法により達成されうる。発現の増加は、さらに、ＳＨ２Ａ又はＳＨ２Ａ遺伝子産物の発現を誘導する化合物に細胞を曝すか、又はそれらを細胞、もしくは植物体全体もしくは植物部分へ適用することにより、達成されうる。エチレン及びエテフォンは、ＳＨ２Ａ遺伝子又はＳＨ２Ａ様遺伝子のｍＲＮＡ転写物の蓄積を増加させ、従ってＳＨ２Ａ又はＳＨ２Ａホモログの発現を増加させるために使用されうる。
【００５２】
本発明は、配列番号１に示されるようなヌクレオチド配列を含むイネ（オリザ・サティバ）由来のＳＨ２Ａ遺伝子を提供する。本発明のもう一つの実施態様において、配列番号３に示されるようなヌクレオチド配列を含む、ＳＨ２Ｂと名付けられたイネ由来ＳＨ２Ａ様遺伝子が提供される。配列番号１に示された配列と比較した場合、１個以上のヌクレオチドの挿入、欠失、又は置換を有し、かつ低酸素条件への適応を授与するという特徴的な特性を維持しているＳＨ２Ａ遺伝子又はＳＨ２Ａ様遺伝子も、本発明により企図される。
【００５３】
本発明のさらにもう一つの実施態様において、配列番号２に示されるようなアミノ酸配列を有するＳＨ２Ａをコードする単離された核酸が提供される。さらにもう一つの実施態様において、配列番号４に示されるようなアミノ酸配列を有するＳＨ２Ｂをコードする単離された核酸が提供される。
【００５４】
本発明は、トマト（リコパーシコン・エスクレンタム（Ｌｙｃｏｐｅｒｓｉｃｏｎ ｅｓｃｕｌｅｎｔｕｍ））、ダイズ（グリシン・マックス（Ｇｌｙｃｉｎｅ ｍａｘ））、及びワタ（ゴシピウム・ヒルスタム（Ｇｏｓｓｙｐｉｕｍ ｈｉｒｓｕｔｕｍ））のような植物に由来するＳＨ２Ａホモログをコードする単離された核酸、及び対応するアミノ酸も提供する。トマト由来の第一のＳＨ２Ａ様遺伝子のヌクレオチド配列は、配列番号５に示されている。対応するトマトＳＨ２Ａホモログのアミノ酸配列は、配列番号６に示されている。トマト由来の第二のＳＨ２Ａ様遺伝子のヌクレオチド配列は、配列番号７に示されている。配列番号８は、トマト由来の第二のＳＨ２Ａ様遺伝子の対応するアミノ酸配列を示している。
【００５５】
ダイズ由来のＳＨ２Ａ様遺伝子のヌクレオチド配列は、配列番号９に示されている。対応するダイズＳＨ２Ａホモログのアミノ酸配列は、配列番号１０に示されている。ワタＳＨ２Ａ様遺伝子のヌクレオチド配列は、配列番号１１に示されており、対応するアミノ酸配列は、配列番号１２に示されている。
【００５６】
ヒト、マウス、及びゼブラフィッシュのＳＨ２Ａ様遺伝子のヌクレオチド配列、並びに対応するアミノ酸配列も、提供される。ヒトＳＨ２Ａ様遺伝子のヌクレオチド配列は、配列番号１３に示されている。対応するアミノ酸配列は、配列番号１４に示されている。マウスＳＨ２Ａ様遺伝子のヌクレオチド配列は、配列番号１５に示されており、対応するアミノ酸配列は、配列番号１６に示されている。
【００５７】
ゼブラフィッシュＳＨ２Ａ様遺伝子のヌクレオチド配列は、配列番号１７に示されている。対応するアミノ酸配列は、配列番号１８に示されている。
【００５８】
ＳＨ２Ａタンパク質又はホモログは、周知の方法論を使用して生物の組織起源から単離されうる。例えば、Ｃａｌｄｅｒｉｎｉ ｅｔ ａｌ， （１９９８） Ｊｏｕｒｎａｌ ｏｆ Ｃｅｌｌ Ｓｃｉｅｎｃｅ １１１： ３０９１−３１００に記載されたような適切な抽出緩衝液を使用した標準的な手法に従いタンパク質抽出物が調製され、そして抗体を使用してＳＨ２Ａタンパク質又はＳＨ２Ａ様タンパク質が免疫沈降させられうる。例えば、ＳＨ２Ａタンパク質又はＳＨ２Ａ様タンパク質の一部をコードする合成ペプチドに対するポリクローナル抗体が作製されうる。従って、ＳＨ２Ａ様遺伝子の３′領域に対応する合成ペプチドが、ＳＨ２Ａタンパク質又はＳＨ２Ａ様タンパク質に対する抗体を生成させるために使用されうる。例えば、ＳＨ２Ａのヌクレオチド４９６〜８６７に対応するペプチドが、抗体を生成させるために使用されうる。ＳＨ２Ａ又はＳＨ２Ａホモログのアミノ酸９１〜１１８及び１３３〜１６１（図２参照）も、抗体を生成させるために使用されうる。次いで、抗体は、ＳＨ２Ａホモログを同定するため、植物由来のタンパク質抽出物を用いた結合アッセイにおいて使用されうる。
【００５９】
さらに、本発明は、ＳＨ２Ａ分子もしくはＳＨ２Ａ様分子又はそれらの一部、即ちそのようなタンパク質の特異的断片又はエピトープを特異的に認識する抗体に関する。本発明の抗体は、異なる生物に由来するＳＨ２Ａホモログを同定し単離するために使用されうる。これらの抗体は、モノクローナル抗体、ポリクローナル抗体、又は合成抗体であってもよいし、Ｆａｂ、Ｆｖ、もしくはｓｃＦｖ断片のような抗体断片、又は重鎖ラクダ抗体等であってもよい。モノクローナル抗体は、例えば、マウス骨髄腫細胞の、免疫感作された哺乳動物に由来する脾細胞との融合を含む、Ｋｏｅｈｌｅｒ ａｎｄ Ｍｉｌｓｔｅｉｎ， Ｎａｔｕｒｅ ２５６（１９７５）， ４９５及びＧａｌｆｒｅ， Ｍｅｔｈ． Ｅｎｚｙｍｏｌ． ７３（１９８１）， ３に最初に記載されたような技術により調製されうる。さらに、前記ヘ゜プチドに対する抗体又はそれらの断片は、例えばＨａｒｌｏｗ ａｎｄ Ｌａｎｅ“Ａｎｔｉｂｏｄｉｅｓ， Ａ Ｌａｂｏｒａｔｏｒｙ Ｍａｎｕａｌ”， ＣＳＨ Ｐｒｅｓｓ， Ｃｏｌｄ Ｓｐｒｉｎｇ Ｈａｒｂｏｒ， １９８８に記載されている方法を使用することによっても得られる。これらの抗体は、例えば、本発明に係るＳＨ２Ａタンパク質又はＳＨ２Ａ様タンパク質の免疫沈降及び免疫学的局在部位決定、並びに例えば組換え宿主細胞及び生物におけるそのようなタンパク質の合成のモニタリングに使用されうる。前記タンパク質、それらのペプチドもしくは断片に対する抗体、又はそれらの断片は、例えば癌診断用のキットにも適用されうる。腫瘍又は腫瘍組織におけるＳＨ２Ａタンパク質又はＳＨ２Ａ様タンパク質のレベルの改変は、例えば、診断キット中に供給された該抗体又はそれらの標識誘導体を含むＲＩＡ又はＥＬＩＳＡに基づく検出により測定されうる。本発明のもう一つの実施態様において、例えば癌診断用の、そのようなキットは、標的のＳＨ２Ａ  ｍＲＮＡ種又はＳＨ２Ａ様ｍＲＮＡ種の特異的かつ定量的な増幅のため、例えばＲＴ−ＰＣＲを介して使用されうるオリゴヌクレオチドプライマーを含有している。該ｍＲＮＡのレベルの改変は、腫瘍又は腫瘍組織の発生の指標となりうる。
【００６０】
好ましくは、ＳＨ２Ａタンパク質又はＳＨ２Ａ様タンパク質は、本発明のＳＨ２Ａコーディング配列又はＳＨ２Ａ様コーティング配列の遺伝子産物を発現する組換え生物から単離される。ＳＨ２Ａタンパク質又はＳＨ２Ａ様タンパク質は、Ａｕｓｕｂｅｌ ｅｔ ａｌ，（１９８７） Ｃｕｒｒｅｎｔ Ｐｒｏｔｏｃｏｌｓ ｉｎ Ｍｏｌｅｃｕｌａｒ Ｂｉｏｌｏｇｙ， Ｇｒｅｅｎ Ｐｕｂｌｉｓｈｉｎｇ Ａｓｓｏｃｉａｔｅｓ， Ｎｅｗ Ｙｏｒｋ、に記載されているもののような標準的な方法を使用して、そのような組換え生物から単離され精製されうる。
【００６１】
また、本発明により、本発明の単離されたＳＨ２Ａヌクレオチド配列又はＳＨ２Ａ様ヌクレオチド配列を含むベクターが提供される。ヌクレオチド配列は、例えば、ＳＨ２Ａ遺伝子又はＳＨ２Ａ様遺伝子の全体、即ちコーディング配列、並びにプロモーター及び終結配列のような関連した５′及び３′調節領域を含むＳＨ２Ａゲノミック配列を含んでいてもよい。そのような配列内には、イントロンが存在してもよいし、又は存在していなくてもよい。もう一つの実施態様において、ベクターは、ＳＨ２Ａタンパク質又はＳＨ２Ａ様タンパク質の発現を起こさせるよう宿主細胞において機能するプロモーターと作動可能に連結されたｃＤＮＡのようなＳＨ２Ａヌクレオチド配列又はＳＨ２Ａ様ヌクレオチド配列を含む。そのようなベクターは、遺伝子構築物とも呼ばれる。本明細書において使用されるように、「遺伝子」とは、センス方向又はアンチセンス方向のいずれかの、ＳＨ２Ａ又はＳＨ２Ａホモログをコードするゲノミック配列、ｃＤＮＡ配列、又は合成ＤＮＡ配列をさすことができる。
【００６２】
本発明のもう一つの面において、少酸素、即ち低酸素の条件における増殖に適応している宿主細胞を作製するための方法が提供される。その方法は、宿主細胞において機能するプロモーターの制御下にあるＳＨ２Ａ遺伝子又はＳＨ２Ａ様遺伝子で、宿主細胞を形質転換すること、及び調整されたＳＨ２Ａ遺伝子又はＳＨ２Ａ様遺伝子の発現レベルを有し、従って少酸素条件において増殖するよう適応している形質転換体を選択することを含む。ＳＨ２Ａ遺伝子又は類似遺伝子は、宿主細胞において複製するか、又は宿主細胞のゲノムへ組み込まれるベクターにより保持されうる。その方法は、製パン又は発酵産業、及び組換えタンパク質の作製において使用されているもののような単細胞生物に特に有用である。従って、細菌、真菌、酵母、及び動物の細胞が、本発明のＳＨ２Ａ遺伝子又はＳＨ２Ａ様遺伝子での形質転換により、低酸素条件において増殖するよう適応させられうる。ＳＨ２Ａ遺伝子又は類似遺伝子での形質転換により改変されうる酵母の例は、これらに限定されないが、Ｅ．コリ（ｃｏｌｉ）、バチルス（Ｂａｃｉｌｌｕｓ）ｓｐ．、アキフェックス（Ａｑｕｉｆｅｘ）ｓｐ．、及びシュードモナ（Ｐｓｅｕｄｏｍｏｎａ）ｓｐ．、ラクトバチルス（Ｌａｃｔｏｂａｃｉｌｌｉ）、ストレプトミセス（Ｓｔｒｅｐｔｏｍｙｃｅｓ）ｓｐ．、アシネトバクター（Ａｃｉｎｅｔｏｂａｃｔｅｒ）ｓｐ．、シトロバクター（Ｃｉｔｒｏｂａｃｔｅｒ）ｓｐ．、及びクロストリジウム（Ｃｌｏｓｔｒｉｄｉｕｍ）ｓｐ．を含む。ＳＨ２Ａ遺伝子又は類似遺伝子での形質転換により改変されうる細菌の例は、これらに限定されないが、サッカロミセス（Ｓａｃｃｈａｒｏｍｙｃｅｓ）及びシゾサッカロミセス（Ｓｃｈｉｚｏｓａｃｃｈａｒｏｍｙｃｅｓ）、ピキア（Ｐｉｃｈｉａ）、及びクルイベロミセス（Ｋｌｕｙｖｅｒｏｍｙｃｅｓ）、及びカンジダ（Ｃａｎｄｉｄａ）を含む。少酸素条件における増殖に適応させられ得る真菌の例は、アスペルギルス（Ａｓｐｅｒｇｉｌｌｕｓ）ｓｐ．、ペニシリウム（Ｐｅｎｉｃｉｌｌｉｕｍ）ｓｐ．及びトリコデルマ（Ｔｒｉｃｈｏｄｅｒｍａ）ｓｐ．を含む。
【００６３】
ＳＨ２Ａ遺伝子又は類似遺伝子での形質転換により改変されうる動物／哺乳動物細胞の例は、これらに限定されないが、例えばモノクローナル抗体を産生する、ハイブリドーマ細胞又は永久ＣＨＯ細胞を含む。酸素供給量は、実際、培養動物／哺乳動物細胞による有用タンパク質の産生における主要な問題の一つである（Ｍａｓｕｄａ ｅｔ ａｌ， ２０００）。従って、ＳＨ２Ａ遺伝子又はＳＨ２Ａ様遺伝子の発現は、該培養細胞の生存を増強するであろう。さらに、ＳＨ２Ａ遺伝子又はＳＨ２Ａ様遺伝子のプロモーターは、少酸素濃度下で培養された例えば動物細胞による該有用タンパク質の発現を推進するため使用されうる。他の低酸素応答エンハンサーを使用したそのような系は、記載されている（Ｍａｓｕｄａ ｅｔ ａｌ， ２０００）。
【００６４】
ＳＨ２Ａ又はＳＨ２Ａホモログは、哺乳動物、酵母、又は昆虫の細胞を、本発明のＳＨ２Ａ遺伝子又はＳＨ２Ａ様遺伝子で形質転換することにより、哺乳動物、酵母、又は昆虫の細胞のような宿主細胞においても産生されうる。哺乳動物、酵母、又は昆虫の細胞を形質転換する方法は、当分野において周知である。哺乳動物、酵母、又は昆虫の細胞においてＳＨ２Ａタンパク質又は類似タンパク質を産生させるためには、哺乳動物、酵母、又は昆虫の細胞において機能するプロモーターの制御下にあるＳＨ２Ａ遺伝子又はＳＨ２Ａ様遺伝子を含むベクターで、そのような細胞が形質転換される。そのようなベクターは、遺伝子構築物とも呼ばれる。
【００６５】
本発明のもう一つの面において、少酸素、即ち低酸素の条件において成長するよう適応した動物を作製するための方法が提供される。トランスジェニック動物を作製する方法は、当分野において周知であり、最も普及している方法は、所望のＤＮＡ、この場合ＳＨ２Ａヌクレオチド配列又はＳＨ２Ａ様ヌクレオチド配列の受精胚の前核への注射を含む。胚は、代理母へと移植され、そこで出生まで発達する。組織特異的プロモーターは、広く利用可能であり、ＳＨ２Ａヌクレオチド配列又はＳＨ２Ａ様ヌクレオチド配列の発現のため選択されうる。例は、乳腺発現に特異的なヒツジ主要乳清タンパク質β−ラクトグロブリン（ＢＬＧ）遺伝子（Ｗｈｉｔｅｌａｗ ｅｔ ａｌ， １９９１ Ｔｒａｎｓｇｅｎｉｃ Ｒｅｓｅａｒｃｈ １：３−１３）及び筋肉組織に特異的なマウスクレアチンキナーゼプロモーター（Ｆｒａｎｋ ｅｔ ａｌ， １９９５ Ｊ． Ｃｌｉｎ． Ｉｎｖｅｓ． ９６：９７６−９８６）を含む。多くの異なる細胞型における発現のためには、メタロチオネイン（ＭＴ）プロモーター、コラーゲンプロモーター、及び様々なウイルスプロモーターが使用されうる。トランスジェニック動物は、低酸素条件下での改善された成長を示す。
【００６６】
本発明の方法は、植物組織培養、農業、及び園芸における使用に特に好適である。従って、本発明は、植物細胞、花粉、プロトプラスト、外植片、植物部分、又は植物器官を、ＳＨ２Ａ遺伝子又はＳＨ２Ａ様遺伝子で形質転換すること、それらからトランスジェニック植物体を再生させること、及び低酸素条件下での成長に関して選択することを含む、少酸素条件下での成長に適応した植物体を作製する方法も提供する。トランスジェニック植物体は、排水性の悪い土壌、及び水分過多な成長条件のような少酸素条件の下での改善された成長を有する。
【００６７】
本発明のさらにもう一つの面において、少酸素条件下での改善された生存を有する植物細胞又は植物プロトプラストを作製する方法が提供される。その方法は、トランスジェニック植物体を再生させる工程が実施されないことを除き、少酸素条件下での植物体の生存の改善に関するものと類似している。植物細胞は、ＳＨ２Ａ遺伝子又はＳＨ２Ａ遺伝子で安定的に又は一過性に形質転換されうる。そのような形質転換された細胞は、組換え作製タンパク質を含む他のタンパク質産物のさらなる作製のため有用である。
【００６８】
本発明のさらにもう一つの面は、少酸素条件下での改善された生存を有する植物体細胞性胚を作製するための方法を提供する。その方法は、トランスジェニックカルスが収集され、体細胞性胚形成の誘導のため使用されることを除き、少酸素条件における植物体の生存の改善に関するものと類似している。該方法は、例えばギネアアブラヤシからの、体細胞性胚の例えばバッチ作製の増加した効率、並びに封入された体細胞性胚の増加した生存率及び発芽率を含む利点を提供する。
【００６９】
従って、植物細胞は、低酸素条件に対する耐性を授与する経路が誘導されるよう、少ない酸素供給量の条件におけるＳＨ２Ａ遺伝子又はＳＨ２Ａ様遺伝子の制御された発現のため操作されうる。ＳＨ２Ａ又はＳＨ２Ａホモログの発現は、これらの組織における低酸素耐性を特異的に改善させるため、根及び水分過多傾向のある他の植物部分へとターゲティングされうる。ＳＨ２Ａ遺伝子又はＳＨ２Ａ様遺伝子により授与される形質は、所望により任意の穀類植物及び園芸学上重要な植物へと移植されうる。
【００７０】
本明細書において配列番号１〜１８として提供されたヌクレオチド配列に加え、本発明の実施において有用な他のＳＨ２Ａ様遺伝子のヌクレオチド配列及び対応するアミノ酸配列が、ＥＭＢＬ及びＧｅｎＢａｎｋのような遺伝子配列データベース上に提供されている。例えば、ダイズの第二のＳＨ２Ａ様遺伝子のヌクレオチド配列は、Ｇｅｎｂａｎｋデータベースの登録番号ＡＩ４４１１８５により提供される。キャベツのＳＨ２Ａ様遺伝子のヌクレオチド配列は、Ｇｅｎｂａｎｋデータベースの登録番号Ｌ３８２３５により提供される。トウモロコシ（ジー・メイズ（Ｚｅａ ｍａｙｓ））のＳＨ２Ａ様遺伝子のヌクレオチド配列は、Ｇｅｎｂａｎｋデータベースの登録番号ＡＩ６４９５３０により提供される。Ｇｅｎｂａｎｋデータベースの登録番号ＡＩ０５４４３７は、メセンブリアンテマ（メセンブリアンテマム・クリスタリナム（Ｍｅｓｅｍｂｒｙａｎｔｈｅｍｕｍ ｃｒｙｓｔａｌｌｌｉｎｕｍ））ＳＨ２Ａ様遺伝子のヌクレオチド配列を提供する。ＤＤＢＪデータベースの登録番号ＡＴ０００２１３は、リンゴ（マルス・ドメスチカ（Ｍａｌｕｓ ｄｏｍｅｓｔｉｃａ））のＳＨ２Ａ様遺伝子のヌクレオチド配列を提供する。パイナップル（ピヌス・タエダ（Ｐｉｎｕｓ ｔａｅｄａ））のＳＨ２Ａ様遺伝子のヌクレオチド配列は、登録番号ＡＩ８１３０５３で、Ｇｅｎｂａｎｋデータベース上に提供されている。Ｇｅｎｂａｎｋデータベース上の登録番号ＡＩ７２７９４７は、ワタの第二のＳＨ２Ａ様遺伝子のヌクレオチド配列を提供する。アラビドプシス・タリアナの４つのＳＨ２Ａ様遺伝子に関する４つの登録番号も、Ｇｅｎｂａｎｋデータベース上で登録番号Ｎ３８６９１、Ｎ９６９３５、Ｔ７６５４９、及びＡＣ００２５０５として入手可能であり、それぞれ本明細書に記載されたようなＡＴＨ１遺伝子、ＡＴＨ２遺伝子、ＡＴＨ４遺伝子、及びＡＴＨ３遺伝子と相関している。
【００７１】
本発明により、ＡＴＨ３ノックアウトが生存不可であることにより証明されるように、ＡＴＨ３は必須遺伝子であることが発見された（実施例１６）。ＡＴＨ３は、必須遺伝子であるため、除草剤スクリーニング法における標的として使用されうる。
【００７２】
本発明の一つの面において、植物成長調節因子又は除草剤として使用されうるＡＴＨ３遺伝子産物の相互作用因子が同定される。そのようなＡＴＨ３遺伝子産物の相互作用因子を同定するための可能な方法は、ＢＩＡＣｏｒｅ装置（Ｐｈａｒｍａｃｉａ）を使用した、該化合物とＡＴＨ３遺伝子産物との間の相互作用のリアルタイムの測定を含む。好ましくは、該相互作用因子は、例えば植物成長調節因子又は除草剤として有用であるかもしれない化学物質である。従って、本発明は、前記のような方法により植物成長調節因子又は除草剤として同定された分子の使用にも関する。もう一つの実施態様によると、本発明は、前記の方法の工程及び該工程から得られた化合物を、農業又は植物細胞もしくは組織の培養への適用にとって適当な形態に製剤化する工程を含む、植物成長調節因子又は除草剤の組成物の作製のための方法にも関する。
【００７３】
Ｇｅｎｂａｎｋデータベースの登録番号ＡＩ４１７７４９は、第二のヒトＳＨ２Ａ様遺伝子のヌクレオチド配列を提供する。ウサギＳＨ２Ａ様遺伝子配列は、ＤＤＢＪデータベースの登録番号Ｃ８２７６９により提供される。ドロソフィラ（Ｄｒｏｓｏｐｈｉｌａ）由来のＳＨ２Ａ様遺伝子のヌクレオチド配列は、Ｇｅｎｂａｎｋデータベースの登録番号ＡＩ５１７２７６により提供される。ケノラブジチス・エレガンス（Ｃａｅｎｏｒｈａｂｄｉｔｉｓ ｅｌａｇｅｎｓ）の３つの異なるＳＨ２Ａ様遺伝子は、ＥＭＢＬデータベースの登録番号Ｚ６８１１６、ＥＭＢＬデータベースのＵ８０４５５、及びＥＭＢＬデータベースのＵ２３１７３により提供される。
【００７４】
ＥＭＢＬデータベースの登録番号Ｚ４８６１３は、サッカロミセス・セレビシエＳＨ２Ａ様遺伝子のヌクレオチド配列を提供する。ＥＭＢＬデータベースの登録番号ＡＡ７８３１４２は、エメリセラ・ニヅランス（Ｅｍｅｒｉｃｅｌｌａ ｎｉｄｕｌａｎｓ）由来のＳＨ２Ａ様遺伝子のヌクレオチド配列を提供する。ＥＭＢＬデータベースの登録番号ＡＬ０３３３８８は、シゾサッカロミセス・ポンベ（Ｓｃｈｉｚｏｓａｃｃｈａｒｏｍｙｃｅｓ ｐｏｍｂｅ）ＳＨ２Ａ様遺伝子のヌクレオチド配列を提供する。ＥＭＢＬデータベースの登録番号Ｚ９９１１１は、バチルス・ズブチリス（Ｂａｃｉｌｌｕｓ ｓｕｂｔｉｌｉｓ）ＳＨ２Ａ様遺伝子のヌクレオチド配列を提供する。Ｇｅｎｂａｎｋデータベースの登録番号ＡＥ０００７６６は、アキフェックス・エオリクス（Ａｑｕｉｆｅｘ ａｅｏｌｉｃｕｓ）由来のＳＨ２Ａ様遺伝子のヌクレオチド配列を提供する。ＳＷＩＳＳ−ＰＲＯＴデータベースの登録番号Ｐ２８８０９は、シュードモナス・アエロギノサ（Ｐｓｅｕｄｏｍｏｎａｓ ａｅｒｏｇｉｎｏｓａ）由来のＳＨ２Ａ様遺伝子のヌクレオチド配列を提供する。
【００７５】
ＳＨ２Ａコーディング配列及びＳＨ２Ａ様コーディング配列並びにゲノミッククローンは、適切なプローブを用いたｃＤＮＡライブラリー又はゲノミックライブラリーのスクリーニングにより入手されうる。例えば、ＳＨ２Ａゲノミッククローンは、本明細書に提供されたイネＳＨ２Ａ  ｃＤＮＡ又はその断片を用いた、ゲノミックライブラリーのスクリーニングにより入手されうる。イネＳＨ２Ａ  ｃＤＮＡに由来する配列を含むオリゴヌクレオチドも、プローブとして使用されうる。例えば、ＳＨ２Ａのヌクレオチド４９６〜８６７をカバーするｃＤＮＡ断片が使用されうる。
【００７６】
植物におけるＳＨ２Ａホモログは、約７０〜９５％の同一アミノ酸を共有している。従って、１個以上の植物ＳＨ２Ａ様遺伝子のヌクレオチド配列に基づくオリゴヌクレオチドプローブが、本発明における使用のためのＳＨ２Ａ様遺伝子を単離するための、ｃＤＮＡライブラリー又はゲノミックライブラリーのスクリーニングにおいて使用するため、設計され合成されうる。例えば、ＳＨ２Ａタンパク質のアミノ酸９９〜１１８及び１３３〜１６１の高度に保存された領域に相当する配列を含むオリゴヌクレオチドが、使用されうる。
【００７７】
従って、ＳＨ２Ａ遺伝子又は類似遺伝子のコーディング配列、プロモーター、又は３′終結配列に相当する核酸分子も、ＳＨ２Ａ遺伝子もしくは類似遺伝子のコーディング配列全体を含む配列番号１〜１８のいずれかに示されたような配列、又はＳＨ２Ａ様コーディング配列（断片及びオリゴヌクレオチドを含む）を有する遺伝子をプローブとして使用すること、並びに特定の生物に由来する核酸分子とハイブリダイズさせることにより入手されうる。「ハイブリダイズさせること」とは、そのような核酸分子が、例えば、Ｓａｍｂｒｏｏｋ ｅｔ ａｌ（１９８９） Ｍｏｌｅｃｕｌａｒ Ｃｌｏｎｉｎｇ： Ａ Ｌａｂｏｒａｔｏｒｙ Ｍａｎｕａｌ， 第２版， Ｃｏｌｄ Ｓｐｒｉｎｇ Ｈａｒｂｏｒ Ｐｒｅｓｓ， Ｃｏｌｄ Ｓｐｒｉｎｇ Ｈａｒｂｏｒ， Ｎ．Ｙ．に記載されたような、従来のハイブリダイゼーション条件下でハイブリダイズすることを意味する。
【００７８】
オリザ・サティバＳＨ２Ａ  ｃＤＮＡ（配列番号１）、又は配列番号１〜１８に示されたヌクレオチド配列もしくはそれらの一部とハイブリダイズする核酸分子は、当分野において周知の技術により、例えばｃＤＮＡライブラリー又はゲノミックライブラリーから単離されうる。ｃＤＮＡライブラリー又はゲノミックライブラリーのスクリーニングによる本発明のＳＨ２Ａ遺伝子又はＳＨ２Ａ様遺伝子に相当するゲノミックＤＮＡ配列の入手において有用であると考えられる方法は、例えばＳａｍｂｒｏｏｋ ｅｔ ａｌ（１９８９） Ｍｏｌｅｃｕｌａｒ Ｃｌｏｎｉｎｇ： Ａ Ｌａｂｏｒａｔｏｒｙ Ｍａｎｕａｌ， Ｃｏｌｄ Ｓｐｒｉｎｇ Ｈａｒｂｏｒ， Ｎ．Ｙ．、又は広く入手可能な組換えＤＮＡ技術に関する多数の実験マニュアルに提供されている。
【００７９】
本発明のＳＨ２Ａ遺伝子又は類似遺伝子は、単離されたＳＨ２Ａゲノミッククローン又はＳＨ２Ａ様ゲノミッククローンの制限エンドヌクレアーゼ消化より誘導されうる。従って、例えば、イネＳＨ２Ａ遺伝子（配列番号１）の既知のヌクレオチド配列又はアミノ酸配列が、単離された推定ＳＨ２Ａ様ゲノミッククローンの核酸配列又は推測アミノ酸配列に対して整列化され、単離されたＳＨ２Ａゲノミッククローン又はＳＨ２Ａ様ゲノミッククローンの５′調節配列（即ち、コーディング領域の翻訳開始コドンから上流の配列）、コーディング配列、及び３′調節配列（即ち、コーディング領域の翻訳終止コドンから下流の配列）の位置が決定される。
【００８０】
ＳＨ２Ａ遺伝子又は類似遺伝子は、例えばｉｎ ｖｉｔｒｏ突然変異誘発により、過剰の５′隣接配列、過剰のコーディング配列、及び／又は過剰の３′隣接配列を有するゲノミッククローンから生成させられうる。ｉｎ ｖｉｔｒｏ突然変異誘発は、便利な制限部位を導入するために役立つ。Ｔ７−Ｇｅｎ  ｉｎ ｖｉｔｒｏ突然変異誘発キット（ＵＳＢ、Ｃｌｅｖｅｌａｎｄ、ＯＨ）及びＱｕｉｋＣｈａｎｇｅ Ｓｉｔｅ Ｄｉｒｅｃｔｅｄ Ｍｕｔａｇｅｎｅｓｉｓキット（Ｓｔｒａｔａｇｅｎｅ、Ｓａｎ Ｄｉｅｇｏ、ＣＡ）のようなこの適用に特に適した様々な商業的に入手可能なキットが存在する。又は、プロモーター、コーディング配列、及び３′終結配列を含むＳＨ２Ａ遺伝子又は類似遺伝子の直接的な増幅を可能にするためのＰＣＲプライマーが画定されうる。
【００８１】
本発明における使用のためのＳＨ２Ａ遺伝子又は類似遺伝子は、必ずしも、遺伝子ライブラリーから単離されなくてもよく、例えば化学合成、ＤＮＡ複製、転写、及び逆転写を含む任意の様式で生成させられうる。従って、本発明において使用されるように、ＳＨ２Ａ遺伝子及びＳＨ２Ａ様遺伝子とは、リボヌクレオチド及びデオキシリボヌクレオチドの両方からなる配列を包含する。
【００８２】
本発明において、特にｃＤＮＡライブラリー又はゲノミックライブラリーの調製及び探索、単離されたクローンの配列決定、欠失分析の実施、発現ベクターの構築、細胞の形質転換、及び細胞の増殖等において使用される一般的な技術は、当分野において既知であり、そのような技術を説明している実験マニュアルは広く入手可能である。例えば、Ｓａｍｂｒｏｏｋ ｅｔ ａｌ，第２版（１９８９）Ｍｏｌｅｃｕｌａｒ Ｃｌｏｎｉｎｇ： Ａ Ｌａｂｏｒａｔｏｒｙ Ｍａｎｕａｌ， Ｃｏｌｄ Ｓｐｒｉｎｇ Ｈａｒｂｏｒ， Ｎｅｗ Ｙｏｒｋを参照のこと。
【００８３】
真核生物全般におけるＳＨ２Ａ遺伝子産物又はＳＨ２Ａ様遺伝子産物の強い保存は、進化上保存された機能を示している。従って、任意のＳＨ２Ａ遺伝子又はＳＨ２Ａ様遺伝子が本発明の方法において使用されうる。好ましくは、細胞は、利用可能なもののうち系統学的に最も近いＳＨ２Ａ様遺伝子で形質転換される。例えば、植物細胞、プロトプラスト、外植片、植物部分、及び器官は、好ましくは、オリザ・サティバ由来のＳＨ２Ａ遺伝子（配列番号１）、アラビドプシス・タリアナ由来のＡＴＨ１（登録番号Ｎ３８６９１）、ＡＴＨ２遺伝子（登録番号Ｎ９６９３５）、ＡＴＨ３遺伝子（登録番号ＡＣ００２５０５）、もしくはＡＴＨ４（登録番号Ｔ７６５４９）、又はトマト１（配列番号５）、トマト２（配列番号７）、ダイズ１（配列番号９）、ダイズ２（登録番号ＡＩ４４１１８５）、ワタ１（配列番号１１）、ワタ２（登録番号ＡＩ７２７９４７）、又はその他の植物より単離されたＳＨ２Ａ様配列及び／又は対応するゲノミック配列のような、植物のＳＨ２Ａ遺伝子又は類似遺伝子で形質転換される。
【００８４】
本発明によると、ＳＨ２Ａコーディング配列又はＳＨ２Ａ様コーディング配列は、ｃＤＮＡ又はゲノミック配列に相当しうる。ゲノミックＳＨ２Ａ遺伝子又はＳＨ２Ａ様遺伝子が使用される場合、遺伝子は所望により１個以上のイントロンを除去又は付加するため改変されうる。さらに、シグナル配列がゲノミック配列から除去及び／又は付加されうる。シグナル配列及び／又は（１個以上の）イントロンは、ＳＨ２Ａ  ｃＤＮＡ又はＳＨ２Ａ様ｃＤＮＡにも付加されうる。１個以上のイントロンを含みうるＳＨ２Ａ遺伝子又は類似遺伝子のヌクレオチド配列は、同一のＳＨ２Ａ遺伝子もしくは類似遺伝子に由来するプロモーター、又は他のＳＨ２Ａ遺伝子由来のプロモーターと作動可能に連結されうる。又は、ＳＨ２Ａヌクレオチド配列又は類似ヌクレオチド配列は、植物細胞において機能するがＳＨ２Ａ遺伝子又は類似遺伝子とは無関係であるプロモーターと作動可能に連結されうる。低酸素状態に応答性の他のプロモーターの例は、例えば、例えばメイズＡｄｈ１遺伝子のＡＲＥ（ＡＲＥ＝嫌気応答因子）６個のリピートを含む合成プロモーターである（Ｏｌｉｖｅ ｅｔ ａｌ， １９９０）。
【００８５】
植物細胞において構成性機能するプロモーターの例は、カリフラワーモザイクウイルス（ＣａＭＶ）３５Ｓプロモーター、ノパリンシンターゼ（ｎｏｓ）プロモーター、アルファルファモザイクウイルス（ＡＭＶ）プロモーター、増強されたマンノピン（ｍａｎｎｎｏｐｉｎｅ）シンターゼプロモーター（ＭＡＣ）プロモーターを含む。これらのプロモーターは、よく特徴決定されており、広く入手可能である。ＳＨ２遺伝子の発現を制御するために使用されうる誘導可能プロモーターの例は、熱ショックプロモーター、ホウレンソウ硝酸レダクターゼ遺伝子に由来する硝酸塩誘導可能プロモーター（Ｂａｃｋ ｅｔ ａｌ， １９９１ Ｐｌａｎｔ Ｍｏｌ． Ｂｉｏｌ， １７：９）、ホルモン誘導可能配列（例えば、Ｙａｍａｇｕｓｈｉ−Ｓｈｉｎｚａｋｉ， Ｅ． ｅｔ ａｌ， １９９０ Ｐｌａｎｔ Ｍｏｌ． Ｂｉｏｌ． １５：９０５， Ｋａｒｅｓ ｅｔ ａｌ（１９９０） Ｐｌａｎｔ Ｍｏｌ． Ｂｉｏｌ． １５：２２５）、並びにＲｕＢＰカルボキシラーゼの小サブユニット及びＬＨＣＰ遺伝子ファミリーのような光誘導可能プロモーターを含む。誘導可能プロモーターの他の例は、テトラサイクリン誘導可能プロモーター（Ｇａｔｚ ｅｔ ａｌ， １９９２ Ｐｌａｎｔ Ｊ ２：３９７）、糖質コルチコイド誘導可能プロモーター（ＷＯ９９３８９８８）、並びに例えばＥＰ０３３２１０４及びＷＯ９００８８２６に記載されているような化学物質により誘導されるプロモーターを含む。
【００８６】
組織特異的プロモーター、及び発生的に調節されるプロモーターも、ＳＨ２Ａ遺伝子又は類似遺伝子の発現を制御し調節するために使用されうる。例は、花粉特異的プロモーター（Ａｌｂａｎｉ ｅｔ ａｌ， １９９１ Ｐｌａｎｔ Ｍｏｌ． Ｂｉｏｌ． １６：５０１： Ｔｗｅｌｌ， ｅｔ ａｌ．， １９９１ Ｇｅｎｅｓ Ｄｅｖ．５： ４９６； Ｈａｍｉｌｔｏｎ Ｄ． ｅｔ ａｌ．， １９９２ Ｐｌａｎｔ Ｍｏｌ． Ｂｉｏｌ． １８：２１１）、花特異的プロモーター（ｖａｎ ｄｅｒ Ｍｅｅｒ ｅｔ ａｌ， １９９０ Ｐｌａｎｔ Ｍｏｌ． Ｂｉｏｌ． １５：９５）、師部特異的プロモーター（ＤｅＷｉｔｔ， Ｎ． Ｄ． ｅｔ ａｌ，１９９１ Ｊ． Ｃｅｌｌ Ｂｉｏｃｈｅｍ． Ｓｕｐｐｌ． １５Ａ：６９， Ｙａｎｇ， Ｎ． −Ｓ． Ｅｔ ａｌ， １９９０ Ｐｒｏｃ． Ｎａｔｌ． Ａｃａｄ． Ｓｃｉ． Ｕ．Ｓ．Ａ．， ８７：４１４４）、根特異的プロモーター（Ｄｅｐａｔｅｒ， Ｂ． Ｓ． ｅｔ ａｌ．， １９９２ Ｐｌａｎｔ Ｍｏｌ． Ｂｉｏｌ． １８：１６１： Ｖａｎｄｅｒｚａａｌ， ｅ． ｅｔ ａｌ， １９９１ Ｐｌａｎｔ Ｍｏｌ．Ｂｉｏｌ． １６：９８３； Ｏｐｐｅｎｈｅｉｍｅｒ， Ｄ． Ｇ．， ｅｔ ａｌ．， １９８８ Ｇｅｎｅ ６３：８７）、及びＷＯ９９３９８３に記載されているようなカッパヒドロキシラーゼプロモーターを含む種子特異的プロモーター（Ｂｕｓｔｏｓ， Ｍ． Ｍ．， ｅｔ ａｌ．，１９９１ ＥＭＢＯ Ｊ． １０：１４６９； Ｓｔａｙｔｏｎ．， Ｍ． ｅｔ ａｌ．， １９９１ Ａｕｓｔ． Ｊ． Ｐｌａｎｔ Ｐｈｙｓｉｏｌ． １８：５０７）を含む。特に好ましいプロモーターは、ＳＨ２Ａ又はＳＨ２Ａホモログの発現が、植物の根にターゲティングされるような根特異的プロモーターを含む。ＳＨ２Ａ遺伝子又は類似遺伝子の発現の根へのターゲティングは、適応度の低い植物種の浸水耐性の増加において特に有用である。そのような根特異的プロモーターは、トウモロコシ根優先的カチオニックペルオキシダーゼ遺伝子のプロモーター（ＷＯ９８５６９２１）、及び好気条件から嫌気条件への転換により転写活性が改変されないテンサイ貯蔵根特異的遺伝子のプロモーターを含む。（例えば、米国特許第５，８９８，０９６号に記載されているような）当分野において周知の分裂組織特異的プロモーターも、センス方向又はアンチセンス方向のいずれかのＳＨ２Ａ遺伝子又は類似遺伝子のｍＲＮＡ転写物を、植物の分裂組織領域にターゲティングするために使用されうる。
【００８７】
本発明は、ＳＨ２Ａ遺伝子又はＳＨ２Ａ様遺伝子のプロモーター領域及びターミネーター領域を含む対応する５′及び３′の調節領域も企図する。従って、例えば、ＳＨ２Ａのプロモーターは、ＳＨ２Ａ遺伝子又は類似遺伝子の発現の促進、及び他の異種配列、即ちＳＨ２Ａ遺伝子又はＳＨ２Ａ様遺伝子と無関係なコーディング配列の発現の促進にとって有用である。５′調節領域は、少酸素供給量の条件下で誘導され、従ってそのような条件下での多数の異なるコーディング配列の発現の促進にとって有用である。さらに、ＳＨ２Ａ遺伝子又はＳＨ２Ａ様遺伝子のプロモーターは、エチレン又はその前駆体エテフォンへの曝露によりさらに誘導されうる。
【００８８】
ＳＨ２Ａ遺伝子又はＳＨ２Ａ様遺伝子の調節された発現を提供するため、植物は、ｃＤＮＡ又はゲノミックＳＨ２Ａ配列もしくはＳＨ２Ａ様配列と作動可能に連結された、前記のように、ＳＨ２Ａ遺伝子もしくはＳＨ２Ａ様遺伝子のプロモーター又はその他のプロモーターを含みうる植物において機能するプロモーターを含む核酸配列で形質転換される。通常、核酸配列はベクター内に置かれ、遺伝子構築物とも呼ばれる。好ましくは、ＳＨ２Ａ遺伝子又はＳＨ２Ａ様遺伝子は、３′調節配列も含む。ＳＨ２Ａコーディング配列又はＳＨ２Ａ様コーディング配列が、コーディング配列の５′上流に天然に存在するもの以外のプロモーターと作動可能に連結された場合、そのようなヌクレオチド配列はキメラ遺伝子又はキメラ遺伝子構築物とも呼ばれる。同様に、ＳＨ２Ａ遺伝子又は類似遺伝子の５′又は３′の調節領域が、対応するＳＨ２Ａ遺伝子もしくは類似遺伝子のもの以外のコーディング配列、又は完全に無関係な遺伝子と作動可能に連結された場合、そのようなヌクレオチド配列も、キメラ遺伝子又はキメラ遺伝子構築物と呼ばれる。
【００８９】
植物における遺伝子移入の方法は、当分野において周知である（Ｇｅｌｖｉｎ １９９８ Ｃｕｒｒｅｎｔ Ｏｐｉｎ Ｂｉｏｔｅｃｈ ９：２２７）。キメラ遺伝子を含むＳＨ２Ａ遺伝子又は類似遺伝子は、Ｈｏｒｓｃｈ ｅｔ ａｌ，（１９８５） Ｓｃｉｅｎｃｅ， ２２７：１２２９−１２３１により記載されたようなリーフディスク（ｌｅａｆｄｉｓｋ）形質転換−再生法により植物へ導入されうる。プロトプラスト培養（Ｈｏｒｓｃｈ ｅｔ ａｌ，（１９８４） Ｓｃｉｅｎｃｅ，２２３：４９６； ＤｅＢｌｏｃｋ ｅｔ ａｌ，（１９８４） ＥＭＢＯ Ｊ．， ２：２１４３； Ｂａｒｔｏｎ ｅｔ ａｌ，（１９８３） Ｃｅｌｌ． ３２：１０３３）及び根形質転換（Ｖａｌｖｅｋｅｎｓ ｅｔ ａｌ，１９８８ Ｐｒｏｃ Ｎａｔｌ Ａｃａｄ Ｓｃｉ ＵＳＡ ８５：５５３６）のような他の形質転換法も、使用可能であり、本発明の範囲内に含まれる。好ましい実施態様において、植物は、Ｋｌｅｔｔ ｅｔ ａｌ，（１９８７） Ａｎｎｕ． Ｒｅｖ． Ｐｌａｎｔ Ｐｈｙｓｉｏｌ．， ３８：４６７に記載されたもののようなアグロバクテリウム由来ベクターで形質転換される。そのような形質転換ベクターは、アグロリスティック（ａｇｒｏｌｉｓｔｉｃ）形質転換において使用されるバイナリーベクター、スーパーバイナリー（ｓｕｐｅｒ−ｂｉｎａｒｙ）ベクター、コインテグレート（ｃｏｉｎｔｅｇｒａｔｅ）ベクター、及びＲｉ由来ベクター、並びにＴ−ＤＮＡ保持ベクターを含む。他の周知の方法も、本発明のキメラ遺伝子を植物細胞へ挿入するために利用可能である。そのような別法は、バイオリスティック（ｂｉｏｌｉｓｔｉｃ）法（Ｋｌｅｉｎ ｅｔ ａｌ， （１９８７） Ｎａｔｕｒｅ． ３２７：７０）、電気穿孔、微量注入、化学的に誘導されたＤＮＡ取り込み、及びベクターとしてのウイルス又は花粉の使用を含む。
【００９０】
形質転換法に必要である場合、ＳＨ２Ａ遺伝子又は類似遺伝子又は本発明のキメラ遺伝子は、植物形質転換ベクター、例えばＢｅｖａｎ（１９８４） Ｎｕｃｌｅｉｃ Ａｃｉｄｓ Ｒｅｓ．， １２：８７１１−８７２１により記載されたバイナリーベクターへと挿入されうる。植物形質転換ベクターは、アグロバクテリウム・ツメファシエンス（Ａｇｒｏｂａｃｔｅｒｉｕｍ ｔｕｍｅｆａｃｉｅｎｓ）の天然遺伝子移入系の修飾により誘導されうる。天然系は、形質転換植物へと移入されるＴ−ＤＮＡとして既知の大きいセグメントを含有するラージＴｉ（腫瘍誘導）プラスミドを含む。Ｔｉプラスミドのもう一つのセグメント、ｖｉｒ領域は、Ｔ−ＤＮＡ移入を担当している。Ｔ−ＤＮＡ領域は、末端反復配列に挟まれている。修飾型バイナリーベクターにおいては、腫瘍誘導遺伝子が欠失しており、ｖｉｒ領域の機能が、Ｔ−ＤＮＡ境界配列に挟まれた外来ＤＮＡを移入するために利用される。Ｔ領域は、抗生物質耐性のための選択可能マーカー、及び移入のための配列を挿入するためのマルチプルクローニング部位も含有している。そのような操作された株は、「無毒化」Ａ．ツメファシエンスとして既知であり、Ｔ領域に挟まれた配列の、植物の核ゲノムへの効率的な移入を可能にする。
【００９１】
表面滅菌されたリーフディスク及びその他の感受性組織が、何日もの間培養された「無毒化」外来ＤＮＡ含有Ａ．ツメファシエンスを接種され、次いで抗生物質含有培地へと移される。次いで、適切な抗生物質を含有する培地中での発根の後、形質転換された苗条が選択され、土壌へと移される。トランスジェニック植物体が授粉させられ、これらの植物体から種子が収集され、抗生物質培地上で成長させられる。
【００９２】
ＳＨ２Ａ遺伝子、ＳＨ２Ａ様遺伝子、又は本発明のキメラ遺伝子構築物の発生中の種子、幼実生、及び成熟植物における発現は、免疫学的、組織化学的なｍＲＮＡ発現又は活性のアッセイによりモニタリングされうる。ＳＨ２Ａ様遺伝子の発現をアッセイするには、実施例４に記載されたようなノーザン分析が実施されうる。キメラ遺伝子が、ＳＨ２Ａ遺伝子又はＳＨ２Ａ様遺伝子以外の遺伝子と作動可能に連結されたＳＨ２Ａプロモーター又はＳＨ２Ａ様プロモーターを含む場合、キメラ遺伝子の発現のアッセイの選択は、異種コーディング配列の性質に依る。例えば、適切なヌクレオチドプローブが利用可能である場合には、ノーザン分析が転写を査定するために使用されうる。異種遺伝子によりコードされたポリペプチドに対する抗体が利用可能である場合には、ウェスタン分析、ＲＩＡ分析、又はＥＬＩＳＡ分析、及び免疫組織化学的局在部位決定が、ポリペプチドの産生及び局在部位を査定するために使用されうる。
【００９３】
本発明のもう一つの面は、本発明のＳＨ２Ａ遺伝子、ＳＨ２Ａ様遺伝子、又はキメラ遺伝子構築物を含有するトランスジェニック植物体、これらの植物体の子孫又は本質的に誘導された変種を提供する。単子葉植物及び双子葉植物の両方が企図される。本明細書において使用されるように、（ａ）初期の変種から支配的に誘導されるものであり、（ｂ）初期の変種とは区別され、かつ（ｃ）導入されたトランスジーンの発現に関して初期の変種と本質的に一致する場合に、「本質的に誘導された変種」が存在するものとする。
【００９４】
植物細胞は、前記の植物形質転換法のうちのいずれかにより、ＳＨ２Ａ遺伝子もしくはＳＨ２Ａ様遺伝子、又はキメラ遺伝子構築物により形質転換される。通常、カルス培養物、リーフディスク、外植片、又は完全植物体の形態である形質転換された植物細胞は、（Ｂｅｃｈｔｏｌｄ ｅｔ ａｌ． （１９９３） Ｃ． Ｒ． Ａｃａｄ． Ｓｃｉ． Ｐａｒｉｓ． ３１６：１１９４−１１９９の真空浸潤（ｖａｃｕｕｍ ｉｎｆｉｌｔｒａｔｉｏｎ）法を介して）、当業者に周知の方法（例えば、Ｈｏｒｓｈ ｅｔ ａｌ．， １９８５）により、完全トランスジェニック植物体へと再生させられる。形質転換植物の子孫及び本質的に誘導された変種はキメラ遺伝子を受け継いでおり、形質転換植物又はそれらの本質的に誘導された変種に由来する花粉、卵、種子、塊茎、又は挿し木は、形質転換された系統又はそれらから本質的に誘導された変種においてトランスジェニック形質を維持するため使用されうる。
【００９５】
本発明は、ＳＨ２Ａタンパク質もしくはＳＨ２Ａ様タンパク質を発現するか、又はＳＨ２Ａキメラ遺伝子構築物もしくはＳＨ２Ａ様キメラ遺伝子構築物を含むトランスジェニック植物体に由来する花も包含する。
【００９６】
以下の実施例は、本発明をさらに例示するものであり、決して本発明を制限するためのものではない。
【００９７】
実施例１
植物材料及びインキュベーション条件
水稲（オリザ・サティバＬ．、Ｐｉｎ Ｇａｅｗ５６）の種子を、Ｉｎｔｅｒｎａｔｉｏｎａｌ Ｒｉｃｅ Ｒｅｓｅｒｃｈ Ｉｎｓｔｉｔｕｔｅ（Ｌｏｓ Ｂａｎｏｓ、Ｔｈｅ Ｐｈｉｌｉｐｐｉｎｅｓ）より入手した。植物体を、記載されたようにして１２〜１４週間成長させた（Ｓａｕｔｅｒ， １９９７）。全ての実験を、成長チャンバー内で、２５℃で、連続光（２００μＥ／ｍ−２ｓ−１）の下で実施した。浸水処理のため、記載されたようにして、完全植物体を、水道水が充填された６００リットルのプラスチックバレル内に置いた（Ｌｏｒｂｉｅｃｋｅ ａｎｄ Ｓａｕｔｅｒ， １９９９）。対照植物体は、同一成長チャンバー内で維持した。ホルモン及び阻害剤の効果の分析は、上方の最も高い成長応答性の節間を含有する切除された茎セグメントを使用して実施した（Ｒａｓｋｉｎ ａｎｄ Ｋｅｎｄｅ， １９８４）。茎セグメントを、示された濃度のジベレリンＡ３（ＧＡ３）もしくはホルモン前駆体エテフォン（２−クロロエタンリン酸（ｃｈｌｏｒｅｔｈａｎｅｐｈｏｓｐｈｏｒｉｃ ａｃｉｄ）、Ｅ）を含有する水性溶液、又は対照としての水のみ２５ｍｌを含む１５０ｍｌビーカー内でインキュベートした。対照セグメントは、水中で０．５又は３時間インキュベートした。エテフォン処理の場合には、茎セグメントを水中で０．５時間エテフォン添加前は２．５時間、プレインキュベートした。
【００９８】
高い湿度を保証するため、ビーカーをプラスチックシリンダーの中に置いた。エチレン作用は、記載されたようにして（Ｌｏｒｂｉｅｃｋｅ ａｎｄ Ｓａｕｔｅｒ， １９９９）、気相中５０μｌ／ｌの濃度の２，５−ノルボルナジエン（ビシクロ〔２．２．１〕ヘプタ−２，５−ジエン、ＮＢＤ）を使用して阻害した。
【００９９】
タンパク質合成を阻害するため、示された濃度のシクロヘキシミドの水性溶液と共に３時間、茎セグメントをインキュベートした。エテフォンをシクロヘキシミドと共に使用する場合には、タンパク質合成の阻害を確実にするため、まずシクロヘキシミド溶液のみの中で茎片を３０分間プレインキュベートした後、１５０μＭの濃度になるまで、エテフォンを２．５時間で添加した。
【０１００】
実施例２
イネの浸水誘導初期応答遺伝子の分子クローニング及び配列分析
部分的に浸水した水稲植物体の不定根に含まれる浸水誘導遺伝子の同定を目的とした、ＰＣＲに基づくサブトラクティブハイブリダイゼーションを使用して、イネから浸水誘導初期応答遺伝子（ＳＨ２）を単離した。ＰＣＲに基づくサブトラクティブハイブリダイゼーションは、浸水させていない水稲植物体由来の第３節の不定根のｍＲＮＡより合成されたｃＤＮＡをドライバー（ｄｒｉｖｅｒ）集団として使用し、２時間部分的に浸水させた植物体に由来するものを標的集団として使用し、Ｂｕｃｈａｎａｎ−Ｗｏｌｌａｓｔｏｎ ａｎｄ Ａｉｎｓｗｏｒｔｈ（１９９７）により記載された方法に従い実施した。全長ｃＤＮＡを入手するため、ＰＣＲに基づくサブトラクティブハイブリダイゼーションにおいて同定された、ジゴキシゲニンで標識された３７３ｂｐ  ｃＤＮＡ断片を使用して、「ＤＩＧ Ｓｙｓｔｅｍ Ｕｓｅｒ’ｓ Ｇｕｉｄｅ」（Ｂｏｅｈｒｉｎｇｅｒ、Ｍａｎｎｈｅｉｍ、Ｇｅｒｍａｎｙ）に従い、水稲の＿ａｍｂｄａ−ＺＡＰＩＩ−ｃＤＮＡライブラリーのスクリーニング（Ｓａｕｔｅｒ，１９９５）を実施した。６個の強くハイブリダイズするプラークを、全部で２×１０５個の組換えファージから回収した。最も長い挿入配列を含有するクローンを、ＡＢＩ ＰＲＩＳＭ Ｄｙｅ Ｔｅｒｍｉｎａｔｏｒ Ｃｙｃｌｅ Ｓｅｑｕｅｎｃｉｎｇ Ｋｉｔ（Ａｐｐｌｉｅｄ Ｂｉｏｓｙｓｔｅｍｓ、Ｗｅｉｔｅｒｓｔａｄｔ、Ｇｅｒｍａｎｙ）を用いて、Ｓａｎｇｅｒら（１９７７）のジデオキシヌクレオチドチェーンターミネーション法により両側から配列決定した。ＳＨ２Ａ（ｇｂ  ＡＦ０５０２００）と名付けられた最も長いクローンは、８７２ｂｐの挿入配列を含有していた。ＳＨ２Ａのヌクレオチド配列は配列番号１に示されている。ヌクレオチド４９６〜８６７の間の配列は、ライブラリースクリーニングに使用されたｃＤＮＡ断片と同一であった。ＳＨ２Ａは、５９７ｂｐのオープンリーディングフレームをコードしている。予測ポリペプチドは１９９ａａ長、予測分子量は２３．６ｋＤａであった。ＳＨ２Ａに対応するアミノ酸配列は、配列番号２に示されている。５′非翻訳領域のヌクレオチド３０〜３３のインフレームの終止コドンは、ＳＨ２Ａが推定タンパク質の完全なコーディング領域を含んでいることを示した。
【０１０１】
実施例３
コンピュータ分析
イネＥＳＴクローンＳ２９９３及びＳ１２１６６を、Ｎａｔｉｏｎａｌ Ｉｎｓｔｉｔｕｔｅ ｏｆ Ａｇｒｏｂｉｏｌｏｇｉｃａｌ ＲｅｓｏｕｒｃｅｓのＲｉｃｅ Ｇｅｎｏｍｅ Ｒｅｓｅａｒｃｈ Ｐｒｏｇｒａｍ（日本つくば）より入手し、ＡＢＩ ＰＲＩＳＭ Ｄｙｅ Ｔｅｒｍｉｎａｔｏｒ Ｃｙｃｌｅ Ｓｅｑｕｅｎｃｉｎｇ Ｋｉｔ（Ａｐｐｌｉｅｄ Ｂｉｏｓｙｓｔｅｍｓ、Ｗｅｉｔｅｒｓｔａｄｔ、Ｇｅｒｍａｎｙ）を用いて、Ｓａｎｇｅｒら（１９７７）のジデオキシヌクレオチドチェーンターミネーション法により両側から配列決定した。ＤＮＡ配列データを分析し、ＤＮａｓｉｓ  Ｖ５．１１プログラム（Ｈｉｔａｃｈｉ Ｓｏｆｔｗａｒｅ Ｅｎｇｉｎｅｅｒｉｎｇ Ｃｏ．， Ｌｔｄ． １９８４， １９９１）を使用して、仮想翻訳した。ＢＬＡＳＴ２．０．３プログラム（Ａｌｔｓｃｈｕｌ ｅｔ ａｌ．， １９９７）を用いて、Ｓｗｉｓｓ−Ｐｒｏｔ．ＴｒＥＭＢＬ（Ｂａｉｒｏｃｈ ａｎｄ Ａｐｗｅｉｌｅｒ， １９９８）、ＥＭＢＬ（Ｓｔｏｅｓｓｅｒ ｅｔ ａｌ．， １９９８）、ＧｅｎＢａｎｋ（Ｂｅｎｓｏｎ ｅｔ ａｌ．， １９９８）、ＤＤＢＪ（Ｔａｔｅｎｏ ｅｔ ａｌ．， １９９８）、及びＰＩＲ（Ｂａｒｋｅｒ ｅｔ ａｌ．， １９９８）のデータベースの実際の公開物においてホモログを検索した。同一遺伝子を表す同定されたＥＳＴをｉｎ ｓｉｌｉｃｏでクローニングし、推定オープンリーディングフレームの完全な配列情報を入手した。配列の整列化は、ＣＬＵＳＴＡＬ  Ｘ  １．６４ｂプログラム（Ｔｈｏｍｓｏｎ ｅｔ ａｌ．， １９９７）を用いて計算し、ＧｅｎｅＤｏｃ２．１（Ｎｉｃｈｏｌａｓ ａｎｄ Ｎｉｃｈｏｌａｓ， １９９７）を使用して手動で編集した。系統学的分析は、ＣＬＵＳＴＡＬ  Ｘ  １．６４ｂ及びＴｒｅｅｖｉｅｗ１．３１（Ｐａｇｅ， １９９６）を使用して実施した。ＳＨ２Ａの推定二次構造は、６つの異なる予測プログラム（Ｉｔｏ ｅｔ ａｌ．， １９９７； Ｗｈｉｔｅ ｅｔ ａｌ．， １９９４； Ｒｏｓｔ ａｎｄ Ｓａｎｄｅｒ、１９９３， １９９４； Ｇｉｂｒａｔ ｅｔ ａｌ．，１９８７； Ｃｈｏｕ ａｎｄ Ｆａｓｍａｎ， １９７８； Ｋｎｅｌｌｅｒ ｅｔ ａｌ．， １９９０）を使用した計算のコンセンサスより得た。６つの予測プログラムのうち４つが類似の結果を与えた領域のみを考慮の対象とした。
【０１０２】
データベース相同性検索は、ＳＨ２Ａと同一の３つのイネＥＳＴ、及び近縁のＳＨ２Ａ配列ホモログを表す４つのＥＳＴクローンの同定をもたらした。ＳＨ２Ａホモログを表すＥＳＴのうち２つ、Ｓ２９９３及びＳ１２１６６をＲｉｃｅ Ｇｅｎｏｍｅ Ｒｅｓｅａｒｃｈ Ｐｒｏｇｒａｍより入手し、完全に配列決定した。ＳＨ２Ｂ（ｇｂ  ＡＦ０６８３３２）と名付けられたＳ２９９３は、９８０ｂｐの挿入配列及び１９８アミノ酸をコードするオープンリーディングフレームを含有していた。インフレームの終止コドンが５′非翻訳領域に位置していた。Ｓ１２１６６の配列は、ＳＨ２Ｂのオルタナティブなポリアデニル化を示唆するポリＡテールに先行する６４ヌクレオチド伸長を除き、ＳＨ２Ｂと同一であった。
【０１０３】
ＳＨ２Ａ及びＳＨ２Ｂのコーディング領域のヌクレオチド配列相同性は８４％であった。２クローンの５′及び３′非翻訳領域には、有意な相同性が観察されなかった。さらなる分析は、ＳＨ２Ａ及びＳＨ２Ｂが、高度に保存されたタンパク質の新規クラスのメンバーであることを明らかにした。ヌクレオチドデータベース及びタンパク質データベースのコンピューター検索は、ＳＨ２Ａの推定オープンリーディングフレームが、他の植物、動物、及び真菌の仮定タンパク質に相当する多数のＥＳＴの推定タンパク質及び推定オープンリーディングフレームとの有意な相同性を示すことを示した（図２）。ＥＳＴ及びゲノミック配列の分析は、アラビドプシス・タリアナの４つの転写されたＳＨ２ホモログの同定をもたらした。さらに、他の双子葉植物由来の近縁ＳＨ２ホモログのＥＳＴが同定された。植物由来ＳＨ２ホモログの推定全長配列の比較は、５７〜９２％のアミノ酸同一性を明らかにした（図３）。ヒトホモログの推定アミノ酸配列は、ＳＨ２Ａと５０％同一、６７％類似であった。サッカロミセス・セレビシエ及びシゾサッカロミセス・ポンベの推定タンパク質とＳＨ２Ａとのアミノ酸同一性は、それぞれ３２％及び３３％であった。真核生物配列の大部分が推定核移行シグナル（ＳＨ２Ａのａａ６４〜６７位のＫＲＸＲ）を含有していた。ＳＨ２Ａ及びＳＨ２Ｂを含むいくつかの配列は、Ｒ（Ｘ）２Ｌ（Ｘ）２，３Ｎ破壊ボックスモチーフ（Ｇｌｏｔｚｅｒ ｅｔ ａｌ．， １９９１）を含有していた。
【０１０４】
ＳＨ２Ａを、バチルス・ズブチリス、アキフェックス・エオリクス、及びシュードモナス・アエルギノサ（Ｐｓｅｕｄｏｍｏｎａｓ ａｅｒｕｇｉｎｏｓａ）に由来する３つの細菌タンパク質と比較した場合には、比較的弱い相同性が観察された（図２）。ｍｍｓＲ遺伝子によりコードされたシュードモナス・アエルギノサのタンパク質は、メチルマロン酸セミアルデヒドデヒドロゲナーゼオペロンに対する正の調節因子であった（Ｓｔｅｅｌｅ ｅｔ ａｌ．， １９９２）。ｍｍｓＲは、正の細菌転写調節因子のＸｙｌＳ／ＡｒａＣファミリーのメンバーとして同定されている。大部分のファミリーメンバーが、リンカーにより非保存領域と接続された、通常Ｃ末端に位置する、保存されたＤＮＡ結合ドメインを含有している（Ｇａｌｌｅｇｏｓ ｅｔ ａｌ．， １９９７）。ＳＨ２ＡとｍｍｓＲとの間の相同領域は、ｍｍｓＲの非保存ドメインに位置している。さらに、その領域のハイドロパシー分析（Ｋｙｔｅ ａｎｄ Ｄｏｏｌｉｔｔｌｅ， １９８２）は、構造的な類似性を示唆した（図４）。
【０１０５】
整列化させたＳＨ２関連配列の比較は、ＳＨ２Ａタンパク質のａａ９１〜１１８及び１３３〜１６１の最も高度に保存された領域を決定した（図２）。ａａ１３３〜１６１の領域は、高い疎水性残基の含有率、及び推定α−ヘリックス、それに続く２つの推定β−シートにより特徴付けられた。プロリン残基（ＳＨ２ＡのＰ１３９）は全ての配列に保存されていた。植物、高等動物、及びヒトに由来するＳＨ２ホモログのＮ末端領域は極めて類似していたが、ケノラブジチス・エレガンス、真菌、及び細菌の配列においては、この領域の保存度は比較的低かった。これは、利用可能な全長配列から計算された系統学的関係に反映された（図５）。
【０１０６】
実施例４
ＳＨ２Ａ及びＳＨ２Ｂの浸水応答性発現
浸水依存性遺伝子発現を決定するため、ＳＨ２Ａ及びＳＨ２ＢのｍＲＮＡ量を、ＲＮＡゲルブロットハイブリダイゼーションにより分析した。空気中で成長させた、又は部分的に浸水させた水稲植物体の最幼節間の異なる帯域、及び第３節の不定根からＲＮＡを単離した。従って、最高節間の組織片、介在分裂組織を含有する第２節の０〜５ｍｍ上、伸長域を含有する第２節の５〜１５ｍｍ上、分化域を含有する第２節の１５〜３０ｍｍ上を使用した（Ｌｏｒｂｉｅｃｋｅ ａｎｄ Ｓａｕｔｅｒ， １９９７）。第３節の不定根は、記載のようにして単離された（Ｌｏｒｂｉｅｃｋｅ ａｎｄ Ｓａｕｔｅｒ， １９９９）。組織を液体窒素中で急速凍結させ、ＲＮＡ抽出まで−７０℃で保存した。ＴＲＩｚｏｌ試薬（Ｇｉｂｃｏ ＢＲＬ）を用いて全ＲＮＡを単離し、記載されたようにして、４Ｍ  ＬｉＣｌにより沈殿させた（Ｐｕｉｓｓａｎｔ ａｎｄ Ｈｏｕｄｅｂｉｎｅ， １９９０， Ｌｏｒｂｉｅｃｋｅ ａｎｄ Ｓａｕｔｅｒ， １９９９）。ＲＮＡ分離及びノーザンブロットハイブリダイゼーションを、以前に記載されたようにして、実施した（Ｌｏｒｂｉｅｃｋｅ ａｎｄ Ｓａｕｔｅｒ， １９９８）。ＲＮＡブロット分析のため、全ＲＮＡ２０μｇを、６％ホルムアルデヒドを含有する１％（ｗ／ｖ）アガロースゲル上での電気泳動により分離した。Ｌｏｒｂｉｅｃｋｅ ａｎｄ Ｓａｕｔｅｒ （１９９８）に従い、ＲＮＡをナイロン膜（Ｈｙｂｏｎｄ Ｎ＋； Ａｍｅｒｓｈａｍ、Ｂｒａｕｎｓｃｈｗｅｉｇ、Ｇｅｒｍａｎｙ）へブロットした。ハイブリダイゼーションのため、ＳＨ２Ａ（ｎｔ４９６〜８６７）及びＳＨ２Ｂ（ｎｔ５１３〜９８０）の３′領域をカバーする遺伝子特異的ｃＤＮＡ断片を、「Ｒｅｄｉｐｒｉｍｅ Ｌａｂｅｌｌｉｎｇ Ｋｉｔ」（Ａｍｅｒｓｈａｍ、Ｂｒａｕｎｓｃｈｗｅｉｇ、Ｇｅｒｍａｎｙ）を使用して３２Ｐでランダムプライム標識した。ハイブリダイゼーションを、１％ＳＤＳ、１Ｍ  ＮａＣｌ、１０％（ｗ／ｖ）デキストラン硫酸、及び熱変性サケ精子ＤＮＡの中で６８℃で一夜実施した。ブロットを６８℃で１×ＳＳＣ（０．１５Ｍ  ＮａＣｌ、１５ｍＭ  Ｎａ−クエン酸、ｐＨ７．０）で１回、６８℃で１×ＳＳＣ、１％（ｗ／ｖ）ＳＤＳで１回、それぞれ１０分間洗浄した（Ｓａｕｔｅｒ， １９９７）。
【０１０７】
分析された組織において、ＳＨ２Ａ発現を一過性誘導した。最も強い誘導は、最幼節間の介在分裂組織（ＩＭ）及び伸長域（ＥＺ）に観察された（図６Ａ）。分化域及び不定根には比較的少ない転写物が蓄積した。ＳＨ２ＡのｍＲＮＡ量は、介在分裂組織においては０〜１時間の間、伸長域においては１〜２時間の間に増加した。最大ｍＲＮＡ量は、いずれの組織においても浸水後２時間で起こった（図６Ｂ）。浸水後２〜６時間の間に、ＳＨ２Ａ  ｍＲＮＡ転写物は対照レベルにまで低下した。対照的に、ＳＨ２Ｂの遺伝子特異的プローブを使用したノーザンブロットは、分析された時点において、いずれの組織においてもｍＲＮＡ量の有意な改変を明らかにせず（図６Ａ）、この遺伝子の構成性発現が示された。
【０１０８】
浸水誘導されたイネ植物体において、ＳＨ２Ａ発現と、中心的嫌気応答タンパク質ピルビン酸デカルボキシラーゼ２の発現とは、密接に類似している（図６ａ及び６ｂ）。節間におけるピルビン酸デカルボキシラーゼ２遺伝子発現は、ＳＨ２Ａ遺伝子発現と同様にエチレンにより調節される。しかしながら、ＳＨ２Ａとは異なり、ピルビン酸デカルボキシラーゼ２は、初期応答遺伝子ではない。ピルビン酸デカルボキシラーゼ２発現は、タンパク質合成に依存している（実施例６、図９）。前述の結果は、ＳＨ２Ａ遺伝子産物が、ピルビン酸デカルボキシラーゼを含む嫌気応答タンパク質の調節に関与しており、従って、浸水又は冠水に対する耐性の制御のための要素であることを示している。
【０１０９】
実施例５
ＳＨ２Ａ及びＳＨ２Ｂのゲノム構造
記載されたようにして（Ｄｅｌｌａｐｏｒｔａ ｅｔ ａｌ．， １９８３）、１１週齢の水稲植物体の最幼葉からゲノムＤＮＡを単離し、ＢａｍＨＩ、ＣｌａＩ、ＨｉｎｄＩＩＩ、ＫｐｎＩ、又はＰｓｔＩで５〜６時間消化し、１％（ｗ／ｖ）アガロースゲル上での電気泳動により分離した。ＤＮＡをナイロン膜（Ｈｙｂｏｎｄ Ｎ＋； Ａｍｅｒｓｈａｍ、Ｂｒａｕｎｓｃｈｗｅｉｇ、Ｇｅｒｍａｎｙ）へ毛細管ブロットし、ノーザン分析（実施例４）に関して記載されたような高ストリンジェンシー条件下で遺伝子特異的プローブとハイブリダイズさせた。ＳＨ２Ａ関連配列を検出するため、ＳＨ２Ａ  ｃＤＮＡをプローブとして使用して、比較的低ストリンジェントな条件下でハイブリダイゼーションを実施した。低ストリンジェンシー条件下でのサザン分析は、ハイブリダイゼーション工程及び洗浄工程を６８℃ではなく５５℃で実施したことを除き、ノーザン分析（実施例４）に関して記載されたようにして実施した。ＳＨ２関連配列を検出するため、ＳＨ２Ａ−ｃＤＮＡをプローブとして使用して、比較的低ストリンジェントな条件下でハイブリダイゼーションを実施した。ＳＨ２Ａの遺伝子特異的プローブを用いたイネゲノミックＤＮＡのサザンブロット分析は、高ストリンジェンシーでハイブリダイズさせ洗浄した場合、５つの異なる酵素で、単一のバンドを検出した（図１ａ）。ＳＨ２Ｂの遺伝子特異的プローブは、ストリンジェントな条件下でハイブリダイズさせた場合、４つの異なる酵素で単一のバンド、ＰｓｔＩ消化されたＤＮＡで２つのバンドを検出した（図１ｂ）。ｃＤＮＡ配列内にはＰｓｔＩ制限部位が存在せず、このことは、ＳＨ２Ｂ遺伝子内の少なくとも１個のイントロンの存在を示している。これらの結果は、ＳＨ２Ａ及びＳＨ２Ｂが、イネゲノム内の単一コピー遺伝子であることを示している。低ストリンジェンシー条件下で同一ブロットを用いた完全ＳＨ２Ａ  ｃＤＮＡを使用したサザン分析においては、ほぼ全ての可視バンドがＳＨ２Ａ又はＳＨ２Ｂ遺伝子特異的プローブにより検出されたシグナルに起因しており、イネにはさらなる近縁ＳＨ２ホモログは存在しないことが示された（図１）。
【０１１０】
実施例６
ＳＨ２Ａ遺伝子発現の誘導
ＳＨ２Ａ遺伝子のホルモン依存性発現を分析するため、最幼節間を含有する単離された茎セグメントを、異なるホルモン溶液又は阻害剤溶液で２．５時間処理した。介在分裂組織及び伸長域を含有する領域から全ＲＮＡを単離し、ＳＨ２Ａ転写物量に関して分析した（図８ａ）。対照において、ＳＨ２Ａ発現はわずかに誘導されていたが、それは植物体からの組織の切除によるものである可能性が高い。
【０１１１】
１５０μＭエテフォン（２−クロロエタンリン酸）による茎セグメントの処理は、ＳＨ２Ａ転写物レベルの強い増加をもたらした。（気相中５０μｌ／ｌの濃度で適用された）エチレン作用の阻害剤ノルボルナジエンと組み合わせてエテフォンを使用した場合、ＳＨ２Ａ転写物レベルは、対照レベルにまで減少した（図７）。これらの結果は、ＳＨ２Ａ遺伝子がエチレンにより調節されることを示している。５０μＭ  ＧＡ３とのインキュベーションは、対照と比較した場合、２．５時間後に、増加したＳＨ２Ａ転写物レベルを引き起こさなかった。ＧＡ３とエテフォンとの組み合わせ、又はＧＡとノルボルナジエンとの組み合わせは、ＧＡ３が存在しない場合と同様の結果を与えた（図７）。
【０１１２】
エテフォン依存性ＳＨ２Ａ発現のパターンを決定するため、１５０μＭエテフォンと共にインキュベートされた茎セグメントの分裂組織及び伸長域から、１時間間隔で、全ＲＮＡを単離した。ノーザンブロット分析は、両組織において、０〜２時間の間のＳＨ２Ａ  ｍＲＮＡの増加を示した（図８Ａ）。最大ｍＲＮＡ量は、２時間のインキュベーションの後に検出された。２〜６時間の間、ｍＲＮＡレベルは対照レベルにまで低下した。エテフォンで処理された単離された茎セグメントと、部分的に浸水させた完全植物体（図６Ｂ）との比較は、介在分裂組織及び伸長域それぞれにおける類似の一過性ＳＨ２Ａ発現パターンを明らかにした。
【０１１３】
用量依存的なＳＨ２Ａ遺伝子発現の応答を決定するため、単離された茎セグメントを異なるエテフォン濃度と共に２．５時間インキュベートした。使用されたエテフォン濃度は、０．０１５、０．１５、１．５、１５、及び１５０μＭであった。介在分裂組織より単離されたＲＮＡのノーザンブロット分析は、ＳＨ２Ａ転写物蓄積が、わずか１．５ｕＭのエテフォンにより誘導されることを示した（図８Ｂ）。ＳＨ２Ａ遺伝子発現の誘導は、既知のタンパク質合成阻害剤シクロヘキシミド（ＣＨＸ）の存在下で起こった。この観察は、ＳＨ２Ａ遺伝子が事前のｄｅ  ｎｏｖｏタンパク質合成なしに誘導されることを示している。ＣＨＸのみによる茎セグメントの処理は、ＳＨ２Ａ転写物の蓄積を引き起こした（図９Ａ）。この現象は、初期応答遺伝子で高頻度に観察されており、スーパーインダクションと呼ばれている。用量応答試験は、２０μｇ／ｍｌ以上というシクロヘキシミド濃度が遺伝子誘導に必要であることを明らかにした。そのような濃度は、タンパク質合成を効率的に遮断することが報告されており、それは、ＳＨ２Ａ遺伝子発現が不安定なタンパク質により通常は抑制されていることを示している可能性がある（図９Ｂ）。
【０１１４】
（ｉ）ＳＨ２Ａ遺伝子発現の時間経過（図６Ａ及び６Ｂ）：（ｉｉ）ジベレリンではなくエチレンによる転写の調節（図７）：（ｉｉｉ）幼組織における遺伝子誘導の位置：並びに（ｉｖ）初期応答調節因子としてのＳＨ２Ａの同定：という前述の所見は、ＳＨ２Ａタンパク質が、ジベレリンホメオスタシスを調節し、イネ茎における改変されたジベレリンレベルをもたらすシグナル成分であることを示している。ジベレリンレベルに対する効果を通して、ＳＨ２Ａは、イネの成長応答を改変する。
【０１１５】
実施例７
アラビドプシスＳＨ２Ａ様遺伝子のホルモン調節型遺伝子発現の証拠
アラビドプシス・タリアナ由来の３つのＳＨ２Ａ様遺伝子、ＥＭＢＬデータベースからのＡＴＨ１（登録番号Ｚ９７３３６）、ＡＴＨ２遺伝子（登録番号Ｚ９７３３６）、及びＧｅｎＢａｎｋデータベースからのＡＴＨ３遺伝子（登録番号ＡＣ００２５０５）のプロモーター領域の配列分析は、シグナル依存性遺伝子調節への関与が他の遺伝子において示されているいくつかのシス作用性因子を明らかにした（Ｄｏｌｆｅｒｕｓ ｅｔ ａｌ， １９９４， Ｇｕｂｌｅｒ ａｎｄ Ｊａｃｏｂｓｅｎ １９９２， Ｇｕｂｌｅｒ ｅｔ ａｌ， １９９５， Ｍａｎｊｕｎａｔｈ ａｎｄ Ｓａｃｈｓ １９９７， Ｏｈｍｅ−Ｔａｋａｇｉ ａｎｄ Ｓｈｉｎｓｈｉ １９９５， Ｏｌｉｖｅ ｅｔ ａｌ， １９９０）。アラビドプシスにおいて同定された因子は、嫌気生活、エチレン，ＧＡ、又はＡＢＡに対する応答に関与している。アラビドプシス・タリアナ由来の３つのＳＨ２Ａ様遺伝子のプロモーター領域の推定シス因子の概略図を図１０に図示する。
【０１１６】
実施例８
低酸素条件下での酵母（サッカロミセス・セレビシエ）及び動物細胞におけるＳＨ２Ａ様遺伝子発現の分析
酵母細胞を、酸素調節インキュベーターの中で、正常酸素条件（２１％Ｏ２、５％ＣＯ２、７５％Ｎ２）及び異なる酸素濃度の下で最小培地中で３０℃で増殖させた。
【０１１７】
動物細胞、例えばチャイニーズハムスター卵巣（ＣＨＯ）細胞を、３０℃の加湿インキュベーター内で、リボヌクレオチド、デオキシリボヌクレオチド（Ｇｉｂｃｏ、ＮＹ）及び１０％ウシ胎仔血清が補足された最小必須アルファ培地中で維持した。異なる酸素濃度を、それと釣り合うＮ２と共に発生させる酸素調節インキュベーターを、低酸素（１０％、５％、及び２％Ｏ２）条件下で細胞を培養するために使用した。
【０１１８】
正常酸素条件及び低酸素条件の下での４８時間のインキュベーションの後、酵母細胞又はＣＨＯ細胞を収集し、全ＲＮＡを単離した。異なる酸素濃度における各ＳＨ２Ａ様遺伝子の発現パターンを、各ＳＨ２Ａ様ｍＲＮＡに対する標識プローブを使用したノーザンブロッティング、又は定量的ＲＴ−ＰＣＲにより分析した。
【０１１９】
実施例９
遺伝子中断及び過剰発現による酵母（サッカロミセス・セレビシエ）ＳＨ２Ａ様遺伝子発現の調整；低酸素耐性の分析
ＳＨ２Ａ様遺伝子のノックアウトを有する変異型酵母を得るため、ＵＲＡ４のような栄養要求マーカーを、酵母ＳＨ２Ａ様遺伝子の２つの断片の間にクローニングした。該断片は、２セットのプライマー（１セットはＳＨ２Ａ様遺伝子の５′部分を増幅するためのもの、１セットはＳＨ２Ａ様遺伝子の３′部分を増幅するためのもの）を使用したＰＣＲにより得られた。得られたＵＲＡ４により中断されたＳＨ２Ａ様遺伝子断片を使用して、ウラシル栄養要求性酵母株を形質転換した。安定なｕｒａ＋形質転換体、即ち中断されたＳＨ２Ａ様遺伝子断片が内因性遺伝子と相同組み換えされているものを選択し、酵母ＳＨ２Ａ遺伝子ホモログの中断を確認するためＰＣＲにより分析した。
【０１２０】
続いて、選択された酵母株を、実施例８に記載されたようなインキュベーション条件下での、対応する野生型酵母の増殖速度に対する相対増殖速度を決定することにより、低酸素耐性に関して分析した。ノックアウトされた酵母ＳＨ２Ａ様遺伝子の相補を分析するためには、野生型酵母よりも低酸素耐性が低い変異体を、異なる起源のＳＨ２Ａ様遺伝子によりさらに形質転換することができる。
【０１２１】
酵母ＳＨ２Ａ遺伝子ホモログの過剰発現のため、該遺伝子のコーディング領域を、ＰＧＫプロモーターのような構成性プロモーター、又はＡＤＨ２プロモーターのような誘導可能プロモーターと作動可能に連結した。得られたキメラ遺伝子を２μ−プラスミドのような自律複製性プラスミドへと導入した。キメラＳＨ２Ａ遺伝子を保持するプラスミドを酵母へ形質転換し、適切な選択を施した。続いて、形質転換された酵母株を、必要であればキメラＳＨ２Ａ遺伝子の発現の誘導の後、実施例８に記載されたようなインキュベーション条件下で、対応する野生型酵母の増殖速度に対する相対増殖速度を決定することにより、増加した低酸素耐性に関して分析した。
【０１２２】
実施例１０
アラビドプシス・タリアナＳＨ２Ａ相同遺伝子発現の調整：センス方向及びアンチセンス方向のＡ．タリアナＳＨ２Ａ遺伝子ホモログを（過剰）発現するトランスジェニック植物体
アグロバクテリウム・ツメファシエンスを使用して、花浸漬（ｆｌｏｒａｌ ｄｉｐ）形質転換法（Ｃｌｏｕｇｈ ａｎｄ Ｂｅｎｔ １９９８， Ｐｌａｎｔ Ｊ． １６：７３５−７４３）又は別の適当な形質転換法により、Ａ．タリアナを形質転換した。Ａ．ツメファシエンスが含有していた植物形質転換ベクターは、
ａ）センスＳＨ２Ａ遺伝子ホモログの過剰発現の場合：カナマイシン耐性マーカーのような植物選択可能マーカー、及びＳＨ２ＡのためのＣａＭＶ  ３５Ｓのような構成性プロモーター、又は分裂組織特異的発現を得るための組織特異的もしくは組織選択的プロモーターと作動可能に連結されたＡ．タリアナＳＨ２Ａ遺伝子ホモログ；又は
ｂ）ＳＨ２Ａ遺伝子ホモログのアンチセンス抑制の場合：カナマイシン耐性マーカーのような植物選択可能マーカー、及びＳＨ２Ａのための構成性、組織特異的、又は組織選択的プロモーター、好ましくは分裂組織特異的プロモーターとアンチセンス方向で連結されたＡ．タリアナＳＨ２Ａ遺伝子ホモログ又はその一部：のいずれかを保持しているＴ−ＤＮＡを保有していた。
【０１２３】
選択された形質転換されたＡ．タリアナ植物体を開花期に自家受粉させ、ホモ接合性子孫を同定し、実施例１５に記載のようにしてさらに分析した。
【０１２４】
実施例１１
トランスジェニックイネにおけるＳＨ２Ａ遺伝子及びＳＨ２Ｂ遺伝子の過剰発現及び発現抑制
アグロバクテリウム・ツメファシエンスを使用して、Ｏ．サチバの未熟胚に由来する胚形成性カルスを形質転換した（Ｈｉｅｉ ｅｔ ａｌ， １９９４， Ｐｌａｎｔ Ｊ． ６：２７１−２８２）。Ａ．ツメファシエンスが含有していた植物形質転換ベクターは、
ａ）センスのＳＨ２Ａ遺伝子又はＳＨ２Ｂ遺伝子の過剰発現の場合：ｎｐｔＩＩ遺伝子のような植物選択可能マーカー、並びにＳＨ２Ａのための構成性プロモーター、又は好ましくは分裂組織特異的プロモーターと作動可能に連結されたイネＳＨ２Ａ遺伝子及びＳＨ２Ｂ遺伝子；又は
ｂ）ＳＨ２Ａ遺伝子及びＳＨ２Ｂ遺伝子の発現抑制の場合：ｎｐｔＩＩ遺伝子のような植物選択可能マーカー、及び構成性プロモーター、又はＳＨ２Ａ遺伝子の場合には好ましくは分裂組織選択的プロモーターとセンス方向及びアンチセンス方向で連結されたイネＳＨ２Ａ遺伝子及びＳＨ２Ｂ遺伝子もしくはその一部：のいずれかを保持しているＴ−ＤＮＡを保有していた。
【０１２５】
構成プロモーターを使用して、全ての組織での遺伝子発現もしくは抑制を得ることもできるし、又は組織選択的もしくは組織特異的プロモーターを使用して、ＳＨ２Ａの場合であれば分裂組織のような、ある組織のみにおける遺伝子発現もしくは抑制を得ることもできる。
【０１２６】
選択された形質転換されたＯ．サチバ植物体を自家受粉させ、表現型研究のための単一遺伝子座形質転換体を同定した（実施例１５参照）。
【０１２７】
実施例１２
調整されたＳＨ２Ａ様遺伝子発現を示すＡ．タリアナ植物体の低酸素耐性の分析
実施例１０において得られた調整されたＳＨ２Ａ遺伝子ホモログ発現を有するホモ接合性Ａ．タリアナ植物体を、水分過多耐性を査定することにより、低酸素耐性に関して分析した。水分過多耐性に関するパラメータは、
ａ）植物生存率、
ｂ）生存植物体のサイズ、
ｃ）生存植物体の開花時間
である。
【０１２８】
実施例１３
動物細胞におけるＳＨ２Ａ様遺伝子の過剰発現及び低酸素耐性の分析
ヒト又はマウスのＳＨ２Ａ遺伝子ホモログのコーディング配列を、高レベル発現のためのサイトメガロウイルス（ＣＭＶ）エンハンサー−プロモーターを含有し、かつトランスフェクトされた細胞の選択のためのｎｅｏ遺伝子を含有するｐｃＤＮＡ３．１（ＩｎＶｉｔｒｏｇｅｎ、ＣＡ、ＵＳＡ）のような選択可能哺乳動物発現ベクターにクローニングした。得られたベクターを、製造業者のプロトコルに従い、Ｌｉｐｏｆｅｃｔａｍｉｎｅ（Ｌｉｆｅ Ｔｅｃｈｎｏｌｏｇｉｅｓ、ＭＤ、ＵＳＡ）の使用によりＣＨＯ細胞（培養維持に関しては実施性８参照）へとトランスフェクトした。ネオマイシン耐性コロニーを選出し、２４穴プレート（Ｎｕｎｃ、Ｄｅｎｍａｒｋ）に５×１０４個の密度で播き、正常酸素条件（実施例８参照）の下で１２時間培養し、その後、培地を新しいものに交換した。未形質転換細胞を、同一条件下で同時に接種しインキュベートした。
【０１２９】
培地を新しいものに交換した後、ＳＨ２Ａ遺伝子ホモログを発現する形質転換細胞及び未形質転換細胞を含むプレートを、低酸素条件（２％酸素）下で異なる時間（４８時間、７２時間、及び９６時間）インキュベートした。トリパンブルー排除法及び／又はニュートラルレッド取り込み法を使用した生死判別染色により、異なるインキュベーション時間の後、異なる細胞の生存率を査定した。死細胞を、トリパンブルー（ＰＢＳ中４００ｍｇ／Ｌ）との１０ｍｉｎのインキュベーションにより染色し、顕微鏡により観察した。生存細胞は、ニュートラルレッド（ＰＢＳ中５６ｍｇ／Ｌ）との２時間のインキュベーションにより染色した。ＰＢＳによる洗浄の後、酸性ＥｔＯＨ（１００ｍＭ  クエン酸ナトリウムｐＨ４、５０％ＥｔＯＨ）中で細胞を溶解させ、生存細胞により取り込まれた色素の放出を５４０ｎｍにおける吸光度測定により定量した。
【０１３０】
実施例１４
ＳＨ２Ａ様遺伝子発現の調整による嫌気応答遺伝子発現の調整
ＳＨ２Ａ様遺伝子の調整された発現を示す、低酸素条件下でインキュベートされた酵母及び浸水したＡ．タリアナ植物体（実施例９〜１０参照）を、嫌気応答タンパク質ピルビン酸デカルボキシラーゼをコードする遺伝子の発現パターンに関して、低酸素条件下でインキュベートされた野生型酵母及び浸水した野生型Ａ．タリアナ植物体とそれぞれ比較した。
【０１３１】
実施例１５
調整されたＳＨ２Ａ遺伝子及びＳＨ２Ｂ遺伝子又はホモログの遺伝子発現を示すＯ．サチバ及びＡ．タリアナトランスジェニック植物体の表現型分析
実施例１０及び１１において得られた、調整されたＳＨ２Ａ遺伝子もしくはＳＨ２Ｂ遺伝子、又はホモログの発現を有するトランスジェニックＯ．サチバ及びＡ．タリアナ植物体を、水分過多耐性を査定することにより、低酸素耐性に関して分析した。水分過多耐性に関するパラメータは、
ａ）植物生存率、
ｂ）生存植物体のサイズ、
ｃ）生存植物体の開花時間
である。
【０１３２】
ＳＨ２Ａ遺伝子もしくはＳＨ２Ｂ遺伝子、又はホモログで形質転換された植物体においては、非トランスジェニック対照と比較して、増強された生存及び増加した生物量が観察された。
【０１３３】
さらに、一般的な収量関連パラメータも、正常増殖条件下で分析した。
【０１３４】
実施例１６
Ａ．タリアナのＡＴＨ３遺伝子におけるトランスポゾン挿入変異体の同定
Ａ．タリアナのＥｎ−１トランスポゾン挿入変異体のコレクション（ＺＩＧＩＡ ｃｏｌｌｅｃｔｉｏｎ、Ｍａｘ−Ｐｌａｎｃｋ−Ｉｎｓｔｉｔｕｔｅ ｆｕｅｒ ｚｕｅｃｈｔｕｎｇｓｆｏｒｓｃｈｕｎｇ、Ｃｏｌｏｇｎｅ、Ｇｅｒｍａｎｙ）を、ＰＣＲに基づく手法により、ＡＴＨ３遺伝子への挿入に関してスクリーニングし、４つの独立した系統を同定した。これらの４つの系統からホモ接合性の挿入変異体を作製する試みは、失敗した。これらの結果は、ＡＴＨ３ノックアウトが生存不可であり、従ってＡＴＨ３がＡ．タリアナの必須遺伝子であることを示している。Ａ．タリアナ遺伝子ＡＴＨ１、ＡＴＨ２、及びＡＴＨ４についても、類似のスクリーニングを実施した。
【表２】
2004500091.tif 000003
2004500091.tif 000004
2004500091.tif 000005
2004500091.tif 000006
2004500091.tif 000007
2004500091.tif 000008
2004500091.tif 000009
2004500091.tif 000010
2004500091.tif 000011
2004500091.tif 000012
2004500091.tif 000013
2004500091.tif 000014
2004500091.tif 000015
【図面の簡単な説明】
【図１Ａ】
水稲におけるＳＨ２Ａのサザンブロット分析である。ゲノミックＤＮＡを、ＨｉｎｄＩＩＩ（Ｈ）、ＢａｍＨＩ（Ｂ）、ＣｌａＩ（Ｃ）、ＰｓｔＩ（Ｐ）、又はＫｐｎＩ（Ｋ）で消化し、ブロットし、ストリンジェントな条件下でＳＨ２Ａの３′特異的プローブで探索した。分子長標準の位置が左に示されている。
【図１Ｂ】
水稲におけるＳＨ２Ｂのサザンブロット分析である。図１Ａのブロットを洗浄し、ストリンジェントな条件下でＳＨ２Ｂの３′特異的プローブで探索した。
【図１Ｃ】
水稲におけるＳＨ２関連配列のサザンブロット分析である。ＳＨ２関連配列のコピー数を決定するため、図１Ａ及び１Ｂに示された同一のブロットを洗浄し、次いで低ストリンジェンシー条件下でＳＨ２Ａの全長ｃＤＮＡで探索した。
【図２Ａ】
植物、動物、真菌、及び細菌のＳＨ２ホモログの推測アミノ酸配列のアラインメントである。５０％以上の配列で保存されているアミノ酸には、影が付いている。ダッシュは、アラインメントを最適化するために挿入された間隙を示す。分析された配列全てにおいて保存されていたプロリン残基は、〔＊〕により示されている。不完全な配列は、〔＃〕により示されている。シュードモナス・アエルギノサのｍｍｓＲタンパク質については、ａａ１〜１６４のみが示されている。〔＋〕により示された配列については、同定されたＥＳＴが、重複配列を含まないＳＨ２ホモログの様々な領域を表している。
【図２Ｂ】
植物、動物、真菌、及び細菌のＳＨ２ホモログの推測アミノ酸配列のアラインメントである。５０％以上の配列で保存されているアミノ酸には、影が付いている。ダッシュは、アラインメントを最適化するために挿入された間隙を示す。分析された配列全てにおいて保存されていたプロリン残基は、〔＊〕により示されている。不完全な配列は、〔＃〕により示されている。シュードモナス・アエルギノサのｍｍｓＲタンパク質については、ａａ１〜１６４のみが示されている。〔＋〕により示された配列については、同定されたＥＳＴが、重複配列を含まないＳＨ２ホモログの様々な領域を表している。
【図３】
ＳＨ２ホモログアミノ酸配列の対間の関係を示す表である。各配列を、ｇｅｎｅｄｏｃプログラムを使用して、他の全ての配列と比較した。最初の数字は、２つの配列間の同一残基の割合（％）を記載している。括弧内の数字は、２つの配列間の類似置換及び保存的置換の割合（％）を示している。影付きの左上の４分の１は、５０％以上の配列同一性を有する配列を示している。
【図４】
ＳＨ２Ａとシュードモナス・アエルギノサのｍｍｓＲタンパク質との間の相同領域内のアミノ酸配列の位置、ハイドロパシー分析、及び整列化を図示している。推定核移行シグナル〔ＮＬＳ〕及び推定破壊ボックスモチーフの位置が、ＳＨ２Ａタンパク質の概略図中に示されている。
【図５】
アミノ酸配列の比較に基づき、推定全長ＳＨ２ホモログのアラインメントから、ＣｌｕｓｔａｌＸプログラムにより作製された樹状図である。
【図６Ａ】
部分的に浸水した水稲植物体の組織におけるＳＨ２Ａ、ＳＨ２Ｂ、及びピルビン酸デカルボキシラーゼ２のノーザンブロット分析である。水稲植物体を、最大１８時間浸水させた。示された時点において、不定根、介在分裂組織、伸長域、及び分化域から全ＲＮＡを単離し、ＳＨ２Ａ、ＳＨ２Ｂ、及びピルビン酸デカルボキシラーゼ２の発現に関して分析した。
【図６Ｂ】
部分的に浸水した水稲植物体の組織における水稲植物ＳＨ２Ａ及びピルビン酸デカルボキシラーゼ２の遺伝子発現のノーザンブロット分析である。植物体を最大６時間浸水させ、介在分裂組織及び伸長域におけるＳＨ２Ａ及びピルビン酸デカルボキシラーゼ２の発現を分析した。
【図７】
エテフォン（Ｅ）、ＧＡ３（ＧＡ）、又はＮＢＤとのインキュベーションの後の、最幼節間を含有する単離された茎セグメントの介在分裂組織及び伸長域におけるＳＨ２Ａ及びピルビン酸デカルボキシラーゼ２の遺伝子発現のノーザンブロット分析である。全ＲＮＡの単離の後、介在分裂組織及び伸長域におけるＳＨ２Ａ及びピルビン酸デカルボキシラーゼ２の発現を分析した。臭化エチジウムにより染色されたＲＮＡゲルが、ローティング対照として示されている。
【図８Ａ】
１５０μＭエテフォンで最大６時間処理された単離された茎セグメントの成長域におけるＳＨ２Ａ及びピルビン酸デカルボキシラーゼ２の遺伝子発現のノーザンブロット分析である。インキュベートされていない茎（Ｃ０）又は水中で６時間インキュベートされた茎（Ｃ６）を、対照として使用した。示された時点で全ＲＮＡを単離し、ＳＨ２Ａ及びピルビン酸デカルボキシラーゼ２の遺伝子発現を分析した。
【図８Ｂ】
異なる濃度のエテフォンで処理された単離された茎セグメントの介在分裂組織におけるＳＨ２Ａ及びピルビン酸デカルボキシラーゼ２の遺伝子発現のノーザンブロット分析である。茎セグメントを、エテフォンを含まないか（Ｃ）、又は示された濃度のエテフォンを含むビーカー内で、２．５時間インキュベートした。全ＲＮＡを単離し、ＳＨ２Ａ及びピルビン酸デカルボキシラーゼ２の遺伝子発現を分析した。
【図９Ａ】
タンパク質合成阻害剤シクロヘキシミド（ＣＨＸ）の存在下で、１５０μＭエテフォンで処理された、又は処理されていない単離された茎セグメントの介在分裂組織におけるＳＨ２Ａ及びピルビン酸デカルボキシラーゼ２の遺伝子発現のノーザンブロット分析である。茎セグメントを、示された濃度のＣＨＸ水性溶液と共に３時間インキュベートした。
【図９Ｂ】
異なる濃度のＣＨＸで３時間処理された単離された茎セグメントの介在分裂組織におけるＳＨ２Ａ及びピルビン酸デカルボキシラーゼ２の遺伝子発現のノーザンブロット分析である。対照セグメント（Ｃ）は、水中で３時間インキュベートした。
【図１０】
アラビドプシス・タリアナ由来の３つのＳＨ２Ａ様遺伝子のプロモーター領域内のシス因子の概略図である。
【図２Ａ】
2004500091.tif 000016
【図２Ｂ】
2004500091.tif 000017
【図３】
2004500091.tif 000018
【図４】
2004500091.tif 000019
【図５】
2004500091.tif 000020
【図６Ａ】
2004500091.tif 000021
【図６Ｂ】
2004500091.tif 000022
【図７】
2004500091.tif 000023
【図８Ａ】
2004500091.tif 000024
【図８Ｂ】
2004500091.tif 000025
【図９Ａ】
2004500091.tif 000026
【図９Ｂ】
2004500091.tif 000027
【図１０】
2004500091.tif 000028
【国際公開パンフレット】
2004500091.tif 000029
2004500091.tif 000030
2004500091.tif 000031
2004500091.tif 000032
2004500091.tif 000033
2004500091.tif 000034
2004500091.tif 000035
2004500091.tif 000036
2004500091.tif 000037
2004500091.tif 000038
2004500091.tif 000039
2004500091.tif 000040
2004500091.tif 000041
2004500091.tif 000042
2004500091.tif 000043
2004500091.tif 000044
2004500091.tif 000045
2004500091.tif 000046
2004500091.tif 000047
2004500091.tif 000048
2004500091.tif 000049
2004500091.tif 000050
2004500091.tif 000051
2004500091.tif 000052
2004500091.tif 000053
2004500091.tif 000054
2004500091.tif 000055
2004500091.tif 000056
2004500091.tif 000057
2004500091.tif 000058
2004500091.tif 000059
2004500091.tif 000060
2004500091.tif 000061
2004500091.tif 000062
2004500091.tif 000063
2004500091.tif 000064
2004500091.tif 000065
2004500091.tif 000066
2004500091.tif 000067
2004500091.tif 000068
2004500091.tif 000069
2004500091.tif 000070
2004500091.tif 000071
2004500091.tif 000072
2004500091.tif 000073
2004500091.tif 000074
2004500091.tif 000075
2004500091.tif 000076
2004500091.tif 000077
2004500091.tif 000078
2004500091.tif 000079
2004500091.tif 000080
2004500091.tif 000081
2004500091.tif 000082
2004500091.tif 000083
2004500091.tif 000084
2004500091.tif 000085
2004500091.tif 000086
2004500091.tif 000087
2004500091.tif 000088
2004500091.tif 000089
2004500091.tif 000090
2004500091.tif 000091
2004500091.tif 000092
2004500091.tif 000093
2004500091.tif 000094
2004500091.tif 000095
2004500091.tif 000096
2004500091.tif 000097
2004500091.tif 000098
2004500091.tif 000099
2004500091.tif 000100
2004500091.tif 000101
2004500091.tif 000102
2004500091.tif 000103
2004500091.tif 000104
2004500091.tif 000105
2004500091.tif 000106
2004500091.tif 000107
2004500091.tif 000108
2004500091.tif 000109
2004500091.tif 000110
2004500091.tif 000111
2004500091.tif 000112
2004500091.tif 000113
2004500091.tif 000114
2004500091.tif 000115
2004500091.tif 000116
2004500091.tif 000117
2004500091.tif 000118
2004500091.tif 000119
2004500091.tif 000120
2004500091.tif 000121
2004500091.tif 000122
2004500091.tif 000123
2004500091.tif 000124
2004500091.tif 000125
2004500091.tif 000126
2004500091.tif 000127
2004500091.tif 000128
2004500091.tif 000129
2004500091.tif 000130
2004500091.tif 000131
2004500091.tif 000132
2004500091.tif 000133
2004500091.tif 000134
2004500091.tif 000135
【国際公開パンフレット（コレクトバージョン）】
2004500091.tif 000136
【国際調査報告】
2004500091.tif 000137
2004500091.tif 000138
2004500091.tif 000139
2004500091.tif 000140
2004500091.tif 000141